(57)【要約】  入口のための装置が、頂部、底部、左側、および右側、ならびに頂部にスリーブを有するシート材料を含む。シート材料は、スリーブの下の位置から、シート材料の左側と右側との間の、シート材料の底部に延びる開口部を有する。開口部は左の閉じ目および右の閉じ目を有し、第１のマグネットが開口部の左の閉じ目に位置付けられ、第２のマグネットが開口部の右の閉じ目に位置付けられ、第１および第２のマグネットは磁気連結される。可変長の横材が、第１の端部および第２の端部を有する。横材はスリーブ内に位置付けられ、第１の端部に第１の固定機構を、および第２の端部に第２の固定機構を含み、横材を第１の垂直ポールおよび第２の垂直ポールの本体部分にそれぞれ固定する。
2019504224.tif 000002
【特許請求の範囲】
【請求項１】
入口のための装置であって、
頂部、底部、左側、および右側、ならびに前記頂部にスリーブを有するシート材料であって、前記スリーブの下の位置から、前記シート材料の前記左側と前記右側との間の、前記シート材料の前記底部に延びる開口部を有し、前記開口部は左の閉じ目および右の閉じ目を有する、シート材料と、
前記開口部の前記左の閉じ目に位置付けられた第１のマグネットと、
前記開口部の前記右の閉じ目に位置付けられた第２のマグネットであって、前記第１および第２のマグネットは磁気連結される、第２のマグネットと、
第１の端部および第２の端部を有する可変長の横材であって、前記スリーブに位置付けられるよう構築および配置され、前記第１の端部に第１の固定機構、および第２の端部に第２の固定機構を含み、前記第１の固定機構および前記第２の固定機構は、前記横材を、第１の垂直ポールおよび第２の垂直ポールの本体部分にそれぞれ固定するよう構築および配置された、可変長の横材と
を備えることを特徴とする装置。
【請求項２】
請求項１に記載の装置であって、前記可変長の横材は、複数の入れ子式セグメントを備えることを特徴とする装置。
【請求項３】
請求項２に記載の装置であって、前記複数の入れ子式セグメントのうちの内側のセグメントは、前記複数の入れ子式セグメントのうちの外側のセグメントの内部で摺動することを特徴とする装置。
【請求項４】
請求項３に記載の装置であって、前記可変長の横材の長さが自由に変更でき、ロック機構または長さ固定機構によって妨げられないように、前記複数のセグメントが摺動することを特徴とする装置。
【請求項５】
請求項３に記載の装置であって、前記複数のセグメントは、相対的に狭い第１のセグメント、および相対的に広い第２のセグメントを備えることを特徴とする装置。
【請求項６】
請求項３に記載の装置であって、前記複数のセグメントは、相対的に狭い第１および第２の端部セグメントと、相対的に広い中間セグメントとを備え、前記第１および第２の端部セグメントは、前記中間セグメントの両端部で入れ子式にはまり込むことを特徴とする装置。
【請求項７】
請求項１に記載の装置であって、前記可変長の横材は、互いに並行して摺動する複数のセグメントを含むことを特徴とする装置。
【請求項８】
請求項１に記載の装置であって、前記第１の固定機構および第２の固定機構は、前記可変長の横材の第１および第２の端部の内側に解放可能に連結するよう構築および配置される、クイック連結機構を含むことを特徴とする装置。
【請求項９】
請求項８の装置であって、前記クイック連結機構は、ツイストロック機構を備えることを特徴とする装置。
【請求項１０】
請求項１に記載の装置であって、前記第１および第２の固定機構の各々は、Ｃクリップを備えることを特徴とする装置。
【請求項１１】
請求項１に記載の装置であって、前記シート材料は、丈夫な材料、耐久性ナイロン材料、ナイロンタフタ、リップストップ材料、合成材料、天然織物材料、プラスチック材料から選択される材料を含むことを特徴とする装置。
【請求項１２】
請求項１に記載の装置であって、前記マグネットは、前記左または右の閉じ目に沿って位置付けられた複数のマグネットを含むことを特徴とする装置。
【請求項１３】
請求項１２に記載の装置であって、前記マグネットはＮ極およびＳ極を有する細長い本体を含むことを特徴とする装置。
【請求項１４】
請求項１２に記載の装置であって、前記左右の閉じ目の対応する垂直位置において、対応するマグネットの前記Ｎ極およびＳ極は、互いに吸引するよう反対になるように構成されることを特徴とする装置。
【請求項１５】
請求項１に記載の装置であって、前記スリーブは、前記シート材料の前記左側から前記右側に延びることを特徴とする装置。
【請求項１６】
請求項１５に記載の装置であって、前記スリーブは、その長さに沿って連続していることを特徴とする装置。
【請求項１７】
請求項１５に記載の装置であって、前記スリーブは、その長さに沿って複数の開口部を含むことを特徴とする装置。
【請求項１８】
請求項１に記載の装置であって、前記可変長の横材は、自由に変更可能で、ロック機構または長さ固定機構によって妨げられない長さを有することを特徴とする装置。
【請求項１９】
請求項１に記載の装置であって、前記シート材料の前記底部に沿って位置付けられる複数のウェイトをさらに備えることを特徴とする装置。
【請求項２０】
ハンズフリーの入口システムを組み立てる方法であって、
ハンズフリーの入口カーテンが設置される、第１および第２の垂直ポールを含むダストパーティションシステムの領域の位置を特定することであって、前記入口カーテンは、
頂部、底部、左側、および右側を有するシート材料であって、前記シート材料の前記頂部はスリーブを含み、前記シート材料は、前記スリーブの下の位置から、前記シート材料の前記左側と前記右側との間の、前記シート材料の前記底部に延びる開口部を有し、前記開口部は左の閉じ目および右の閉じ目を有する、シート材料と、
前記開口部の前記左の閉じ目に位置付けられた第１のマグネットと、
前記開口部の前記右の閉じ目に位置付けられた第２のマグネットであって、前記第１および第２のマグネットは磁気連結される、第２のマグネットと
を備えた、特定することと、
可変長の横材を入口カーテンの前記スリーブに装着することと、
前記可変長の横材および入口カーテンを、前記第１および第２の垂直ポールの本体の側部分に装着することと、
前記入口カーテンの側部分を、前記第１および第２の垂直ポールの前記本体の前記側部分に固定することと
を含むことを特徴とする方法。
【請求項２１】
請求項２０に記載の方法であって、人が進入または退出するのに十分であるように、前記第１および第２の垂直ポールの垂直位置に前記横材を位置付けることをさらに含むことを特徴とする方法。
【請求項２２】
請求項２０に記載の方法であって、前記可変長の横材は、自由に変更可能で、ロック機構または長さ固定機構によって妨げられない長さを有することを特徴とする方法。
【請求項２３】
請求項２０に記載の方法であって、前記可変長の横材は、複数の入れ子式セグメントを備えることを特徴とする方法。
【請求項２４】
請求項２３に記載の方法であって、前記複数の入れ子式セグメントのうちの内側のセグメントは、前記複数の入れ子式セグメントのうちの外側のセグメントの内部で摺動することを特徴とする方法。
【請求項２５】
請求項２４に記載の方法であって、前記可変長の横材の長さが自由に変更でき、ロック機構または長さ固定機構によって妨げられないように、前記複数のセグメントが摺動することを特徴とする方法。
【請求項２６】
請求項２３に記載の方法であって、前記複数のセグメントは、相対的に狭い第１のセグメント、および相対的に広い第２のセグメントを備えることを特徴とする方法。
【請求項２７】
請求項２３に記載の方法であって、前記複数のセグメントは、相対的に狭い第１および第２の端部セグメントと、相対的に広い中間セグメントとを備え、前記第１および第２の端部セグメントは、前記中間セグメントの両端部で入れ子式にはまり込むことを特徴とする方法。
【請求項２８】
請求項２０に記載の方法であって、前記可変長の横材は、互いに並行して摺動する複数のセグメントを備えることを特徴とする方法。
【請求項２９】
請求項２０に記載の方法であって、前記可変長の横材を前記第１および第２の垂直ポールに装着することは、前記第１および第２の垂直ポールが建物の部屋の床と天井との間に設置された後に実行されることを特徴とする方法。
【請求項３０】
入口のための装置であって、
長手方向の溝、第１の端部、および第２の端部を有する第１のストラップ部分であって、前記第１のストラップ部分の前記長手方向の溝に沿って、前記長手方向の溝の中間領域に向かって突出する左タブおよび右タブを含む、第１のストラップ部分と、
前記第１のストラップ部分の前記長手方向の溝内に位置付けられて、前記第１のストラップ部分と連結される、第１および第２のスペーサと、
前記第１のストラップの前記長手方向の溝の、前記第１および第２のスペーサの間に位置付けられる、マグネットと
を備えることを特徴とする装置。
【請求項３１】
請求項３０に記載の装置であって、
前記長手方向の溝に位置付けられ、複数の離隔した位置に離された第１および第２のスペーサの複数の対と、
第１および第２のスペーサの各対の間における複数のマグネットと
をさらに備えることを特徴とする装置。
【請求項３２】
請求項３１に記載の装置であって、
長手方向の溝、第１の端部、および第２の端部を有する第２のストラップ部分であって、前記長手方向の溝に沿って、前記長手方向の溝の中間領域に向かって突出する左タブおよび右タブを含む、第２のストラップ部分と、
前記第２のストラップ部分の前記長手方向の溝に位置付けられて、前記第２のストラップ部分と連結される、第１および第２のスペーサと、
前記第２のストラップの前記長手方向の溝の、前記第１および第２のスペーサの間に位置付けられる、金属挿入物と
をさらに備えることを特徴とする装置。
【請求項３３】
請求項３２に記載の装置であって、
前記第２のストラップ部分の前記長手方向の溝に位置付けられ、前記第１のストラップ部分の位置に一致する複数の離隔された位置に離された、第１および第２のスペーサの複数の対と、
第１および第２のスペーサの各対の間における複数の金属挿入物と
をさらに備えることを特徴とする装置。
【発明の詳細な説明】
【技術分野】
【０００１】
関連出願
本出願は、２０１５年１２月２８日に出願された米国仮出願第６２／２７１，４９２号、２０１６年５月１３日に出願された米国仮出願第６２／３３５，７２８号、２０１６年６月２８日に出願された米国仮出願第６２／３３５，５４４号の利益を主張するものであり、各々の内容全体を本願に引用して援用する。
【背景技術】
【０００２】
パーティションシステムは、ダスト、騒音、光、臭気などのバリアとして働くことにより、しばしば建物または部屋の一部分を分離するために利用される。建設区域において、清潔な領域を作業領域から防護するため、例えば木質床の表面を再仕上げしている領域から、家具および敷物を一時的に保管する領域を防護するために、パーティションは有用である。
【０００３】
建設現場の作業者は、パーティションを設置するために初歩的な技法を用いることが多い。ある者は単純に釘、ねじ、またはステイプルで、カーテンまたはパーティション材料を床、天井、および当接する壁に留め、その結果それらの表面に損傷を与える。他の者は、テープまたは別の方法により、カーテンまたはプラスチックシートを壁および天井に接着する。テープは大抵剥がれるが、張り付いた場合、テープを取り除く際にテープと共に塗料が剥ぎ取られることがあるか、または粘着剤が残る。
【０００４】
その内容を本願に引用して援用する、米国特許第５，９２４，４６９号および米国特許第７，６５８，２１９号は、これらの制限に対処するパーティション装着システムを開示している。このようなシステムは、例えばプラスチック、布など様々な市販のカーテン材料またはドレープ材料と適合する。開示されたシステムは、建設区域において天井、床、または壁に損傷を与えるまたは別の様態にて痕を残すことなく、設置および撤去されるよう設計された「クリーン」なシステムである。組み立ては簡単かつ迅速であり、１人で実現され得る。
【０００５】
いくつかの状況において、パーティションされた領域へと進入する／そこから退出するための、画定された入口箇所を有することが望ましい。このようなシステムのための最近の入口機構として、ジッパー付き出入口などのジッパー機構を利用できる。このようなシステムは、作業者が手動で出入口のジッパーを開けて入退出を可能にし、入退出後に再び出入口のジッパーを閉めて入口を再封止する必要がある。
【先行技術文献】
【特許文献】
【０００６】
【特許文献１】米国特許第３８２７０１９号公報
【特許文献２】米国特許出願公開第２０１３／２８４６８５号明細書
【特許文献３】米国特許第５９２４４６９号公報
【特許文献４】米国特許第７６５８２１９号公報
【非特許文献】
【０００７】
【非特許文献１】“ダストドア付きダストバリアの組み立て（Setting up Dust Barrier with Dust Door）”、［online］、平成２３年１２月１９日、ファストキャップ（FastCap.）、［２０１７年３月２９日検索］、インターネット＜URL:https://www.youtube.com/watch?v=VSy30tXRnHE＞
【発明の概要】
【課題を解決するための手段】
【０００８】
本開示の実施形態は、自閉式パーティションシステムの装置および方法に関する。
【０００９】
一態様において、入口のための装置は、頂部、底部、左側、および右側、ならびに頂部にスリーブを有するシート材料であって、スリーブの下の位置から、シート材料の左側と右側との間の、シート材料の底部に延びる開口部を有し、開口部は左の閉じ目および右の閉じ目を有する、シート材料と、開口部の左の閉じ目に位置付けられた第１のマグネットと、開口部の右の閉じ目に位置付けられた第２のマグネットであって、前記第１および第２のマグネットは磁気連結される、第２のマグネットと、第１の端部および第２の端部を有する可変長の横材であって、スリーブに位置付けられるよう構築および配置され、第１の端部に第１の固定機構、および第２の端部に第２の固定機構を含み、第１の固定機構および第２の固定機構は、横材を、第１の垂直ポールおよび第２の垂直ポールの本体部分にそれぞれ固定するよう構築および配置された、可変長の横材とを備える。
【００１０】
いくつかの実施形態において、可変長の横材は複数の入れ子式セグメントを備える。
【００１１】
いくつかの実施形態において、複数の入れ子式セグメントのうちの内側のセグメントは、複数の入れ子式セグメントのうちの外側のセグメントの内部で摺動する。
【００１２】
いくつかの実施形態において、複数のセグメントは、可変長の横材の長さが自由に変更でき、ロック機構または長さ固定機構によって妨げられないように摺動する。
【００１３】
いくつかの実施形態において、複数のセグメントは、相対的に狭い第１のセグメント、および相対的に広い第２のセグメントを備える。
【００１４】
いくつかの実施形態において、複数のセグメントは、相対的に狭い第１および第２のセグメントと、相対的に広い中間セグメントとを備え、第１および第２のセグメントは、中間セグメントの両端部で入れ子式にはまり込む。
【００１５】
いくつかの実施形態において、複数のセグメントは互いに並行して摺動する。
【００１６】
いくつかの実施形態において、第１の固定機構および第２の固定機構は、クイック連結機構を可変長の横材の両端部の内側に解放可能に連結する、クイック連結機構を含む。
【００１７】
いくつかの実施形態において、クイック連結機構はツイストロック機構を備える。
【００１８】
いくつかの実施形態において、第１および第２の固定機構の各々は、Ｃクリップを備える。
【００１９】
いくつかの実施形態において、シート材料は、丈夫な材料、耐久性ナイロン材料、ナイロンタフタ、リップストップ材料、合成材料、天然織物材料、プラスチック材料から選択される材料を含む。
【００２０】
いくつかの実施形態において、マグネットは、左または右の閉じ目に沿って位置付けられた複数のマグネットを含む。
【００２１】
いくつかの実施形態において、マグネットはＮ極およびＳ極を有する細長い本体を含む。
【００２２】
いくつかの実施形態において、左右の閉じ目の対応する垂直位置の、対応するマグネットのＮ極およびＳ極は、互いに吸引するよう反対になるように構成される。
【００２３】
いくつかの実施形態において、スリーブはシート材料の左側から右側に延びる。
【００２４】
いくつかの実施形態において、スリーブはその長さに沿って連続している。
【００２５】
いくつかの実施形態において、スリーブは複数の開口部を備える。
【００２６】
いくつかの実施形態において、可変長の横材は、自由に変更可能で、ロック機構または長さ固定機構によって妨げられない長さを有する。
【００２７】
いくつかの実施形態において、複数のウェイトが、シート材料の底部に沿って位置付けられる。
【００２８】
別の態様において、ハンズフリーの入口システムを組み立てる方法は、ハンズフリーの入口カーテンが設置される、第１および第２の垂直ポールを含むダストパーティションシステムの領域の位置を特定することであって、入口カーテンは、頂部、底部、左側、および右側を有するシート材料であって、シート材料の頂部はスリーブを含み、シート材料は、スリーブの下の位置から、シート材料の左側と右側との間の、シート材料の底部に延びる開口部を有し、開口部は左の閉じ目および右の閉じ目を有する、シート材料と、開口部の左の閉じ目に位置付けられた第１のマグネットと、開口部の右の閉じ目に位置付けられた第２のマグネットであって、前記第１および第２のマグネットは磁気連結される、第２のマグネットとを備えた、特定することと、可変長の横材を入口カーテンのスリーブに装着することと、可変長の横材および入口カーテンを第１および第２の垂直ポールの本体の側部分に装着することと、入口カーテンの側部分を、第１および第２の垂直ポールの本体の側部分に固定することとを含む。
【００２９】
いくつかの実施形態において、方法は、人が進入または退出するのに十分であるように、第１および第２の垂直ポールの垂直位置に横材を位置付けることをさらに含む。
【００３０】
いくつかの実施形態において、可変長の横材は、自由に変更可能で、ロック機構または長さ固定機構によって妨げられない長さを有する。
【００３１】
いくつかの実施形態において、可変長の横材は複数の入れ子式セグメントを含む。
【００３２】
いくつかの実施形態において、複数の入れ子式セグメントのうちの内側のセグメントは、複数の入れ子式セグメントのうちの外側のセグメントの内部で摺動する。
【００３３】
いくつかの実施形態において、複数のセグメントは、可変長の横材の長さが自由に変更でき、ロック機構または長さ固定機構によって妨げられないように摺動する。
【００３４】
いくつかの実施形態において、複数のセグメントは、相対的に狭い第１のセグメント、および相対的に広い第２のセグメントを備える。
【００３５】
いくつかの実施形態において、複数のセグメントは、相対的に狭い第１および第２のセグメントと、相対的に広い中間セグメントとを備え、第１および第２のセグメントは、中間セグメントの両端部で入れ子式にはまり込む。
【００３６】
いくつかの実施形態において、複数のセグメントは互いに並行して摺動する。
【００３７】
いくつかの実施形態において、可変長の横材を第１および第２の垂直ポールに装着することは、第１および第２の垂直ポールが建物の部屋の床と天井との間に設置された後に実行される。
【００３８】
いくつかの実施形態において、入口の装置は、長手方向の溝、第１の端部、および第２の端部を有する第１のストラップ部分であって、第１のストラップ部分の長手方向の溝に沿って長手方向の溝の中間領域に向かって突出する左タブおよび右タブを含む第１のストラップ部分と、第１のストラップ部分の長手方向の溝に位置付けられて、第１のストラップ部分と連結される第１および第２のスペーサと、第１のストラップ部分の長手方向の溝の第１および第２のスペーサの間に位置付けられるマグネットとを備える。
【００３９】
いくつかの実施形態において、装置は、長手方向の溝に位置付けられ、複数の離隔された位置に離された第１および第２のスペーサの複数の対と、第１および第２のスペーサの各対の間における複数のマグネットとをさらに備える。
【００４０】
いくつかの実施形態において、装置は、長手方向の溝、第１の端部、および第２の端部を有する第２のストラップ部分であって、長手方向の溝に沿って長手方向の溝の中間領域に向かって突出する左タブおよび右タブを含む第２のストラップ部分と、第２のストラップ部分の長手方向の溝に位置付けられて、第２のストラップ部分と連結される、第１および第２のスペーサと、第２のストラップ部分の長手方向の溝の第１および第２のスペーサの間に位置付けられる金属挿入物とをさらに備える。
【００４１】
いくつかの実施形態において、装置は、第２のストラップ部分の長手方向の溝に位置付けられ、第１のストラップ部分の位置に一致する複数の離隔された位置に離された、第１および第２のスペーサの複数の対と、第１および第２のスペーサの各対の間における複数の金属挿入物とをさらに備える。
【００４２】
本発明概念の前述および他の特徴および利点は、様々な図を通して示すように、本発明概念の実施形態のより詳細な説明から明らかとなろう。図は必ずしも縮尺通りではなく、代わりに、本発明概念の原理を図示することに重点を置いて示される。
【図面の簡単な説明】
【００４３】
【図１Ａ】本発明概念の実施形態による、自閉式入口を設置して操作する方法の正面斜視図である。
【図１Ｂ】本発明概念の実施形態による、自閉式入口を設置して操作する方法の正面斜視図である。
【図１Ｃ】本発明概念の実施形態による、自閉式入口を設置して操作する方法の正面斜視図である。
【図１Ｄ】本発明概念の実施形態による、自閉式入口を設置して操作する方法の正面斜視図である。
【図１Ｅ】本発明概念の実施形態による、自閉式入口を設置して操作する方法の正面斜視図である。
【図１Ｆ】本発明概念の実施形態による、自閉式入口を設置して操作する方法の正面斜視図である。
【図１Ｇ】本発明概念の実施形態による、自閉式入口を設置して操作する方法の正面斜視図である。
【図２Ａ】本発明概念の実施形態による、ハンズフリーのパーティション入口機構の正面斜視図である。
【図２Ｂｉ】本発明概念の実施形態による、ハンズフリーのパーティション入口機構の実施形態の近接背面斜視図である。
【図２Ｂｉｉ】本発明概念の実施形態による、ハンズフリーのパーティション入口機構の実施形態の近接背面斜視図である。
【図３Ａ】本発明概念の実施形態による、可変長の横材４４の様々な実施形態の上面図である。
【図３Ｂ】本発明概念の実施形態による、可変長の横材４４の様々な実施形態の上面図である。
【図３Ｃ】本発明概念の実施形態による、可変長の横材４４の様々な実施形態の上面図である。
【図３Ｄ】本発明概念の実施形態による、可変長の横材４４の様々な実施形態の上面図である。
【図４Ａ】本発明概念による、入口カーテンにおける横材スリーブの様々な実施形態の斜視図である。
【図４Ｂ】本発明概念による、入口カーテンにおける横材スリーブの様々な実施形態の斜視図である。
【図４Ｃ】本発明概念による、入口カーテンにおける横材スリーブの様々な実施形態の斜視図である。
【図４Ｄ】本発明概念による、入口カーテンにおける横材スリーブの様々な実施形態の斜視図である。
【図４Ｅ】本発明概念による、入口カーテンにおける横材スリーブの様々な実施形態の斜視図である。
【図４Ｆ】本発明概念による、入口カーテンにおける横材スリーブの様々な実施形態の斜視図である。
【図４Ｇ】本発明概念による、入口カーテンにおける横材スリーブの様々な実施形態の斜視図である。
【図５Ａ】本発明概念の実施形態による、入口カーテンの閉じ目に利用され得るマグネットの配置の、代替の実施形態の正面図である。
【図５Ｂ】本発明概念の実施形態による、入口カーテンの閉じ目に利用され得るマグネットの配置の、代替の実施形態の正面図である。
【図５Ｃ】本発明概念の実施形態による、入口カーテンの閉じ目に利用され得るマグネットの配置の、代替の実施形態の正面図である。
【図６】本発明概念の実施形態による、入口カーテンの正面図である。
【図７】本発明概念の実施形態による、相補的な磁気吸引面と相互作用するよう構築および配置された磁気式閉じ目を有する、入口カーテンの正面斜視図である。
【図８Ａ】本発明概念の実施形態による、クリップの形態であるクイック解放式の横材取り付け機構の、組立斜視図である。
【図８Ｂ】本発明概念の実施形態による、クリップの形態であるクイック解放式の横材取り付け機構の、分解斜視図である。
【図８Ｃ】本発明概念の実施形態による、クイック解放式の横材取り付け機構の、ロックリングの上面図である。
【図８Ｄ】本発明概念の実施形態による、それぞれが異なる内幅のＣクリップを有する、複数の横材取り付け機構の斜視図である。
【図９】本発明概念の実施形態による、中空の円筒形ポールの端部に挿入するために構築および配置された、クイック解放式の自在継手機構の組立斜視図である。
【図１０Ａ】本発明概念の実施形態による、カーテンクリップの斜視図である。
【図１０Ｂ】本発明概念の実施形態による、それぞれ異なる内幅である複数のカーテンクリップの斜視図である。
【図１１】本発明概念の実施形態による、ハンズフリーのパーティション入口機構のキットの斜視図である。
【図１２】本発明概念の実施形態による、ハンズフリーのパーティション入口機構を設置する方法の流れ図である。
【図１３】本発明概念の別の実施形態による、自閉式入口の正面斜視図である。
【図１４Ａ】本発明概念による、図１３に関して図示および説明する実施形態の、自閉式入口の設置および操作方法の正面斜視図である。
【図１４Ｂ】本発明概念による、図１３に関して図示および説明する実施形態の、自閉式入口の設置および操作方法の正面斜視図である。
【図１４Ｃ】本発明概念による、図１３に関して図示および説明する実施形態の、自閉式入口の設置および操作方法の正面斜視図である。
【図１４Ｄ】本発明概念による、図１３に関して図示および説明する実施形態の、自閉式入口の設置および操作方法の正面斜視図である。
【図１４Ｅ】本発明概念による、図１３に関して図示および説明する実施形態の、自閉式入口の設置および操作方法の正面斜視図である。
【図１４Ｆ】本発明概念による、図１３に関して図示および説明する実施形態の、自閉式入口の設置および操作方法の正面斜視図である。
【図１５Ａｉ】本発明概念による、カーテン装着ストラップの実施形態の斜視図である。
【図１５Ｂｉ】本発明概念による、カーテン装着ストラップの実施形態の斜視図である。
【図１５Ａｉｉ】本発明概念による、装着された位置にある図１５Ａｉのカーテン装着ストラップの実施形態の近接斜視図である。
【図１５Ｂｉｉ】本発明概念による、装着された位置にある図１５Ｂｉのカーテン装着ストラップの実施形態の近接斜視図である。
【図１５Ｃｉ】本発明概念による、カーテン装着ストラップの代替の実施形態の断面斜視図である。
【図１５Ｃｉｉ】本発明概念による、カーテン装着ストラップの代替の実施形態の断面斜視図である。
【図１５Ｄｉ】本発明概念による、カーテン装着ストラップの実施形態の斜視図である。図１５Ｄｉは分解図である。
【図１５Ｄｉｉ】本発明概念による、カーテン装着ストラップの実施形態の斜視図である。図１５Ｄｉｉはカーテン装着ストラップの近接斜視図である。
【図１５Ｄｉｉｉ】本発明概念による、カーテン装着ストラップの実施形態の斜視図である。図１５Ｄｉｉｉはカーテン装着ストラップの近接斜視図である。
【図１５Ｄｉｖ】本発明概念による、カーテン装着ストラップの実施形態の斜視図である。図１５Ｄｉｖはカーテン装着ストラップの近接斜視図である。
【図１５Ｅｉ】本発明概念による、カーテン装着ストラップの実施形態の斜視図である。図１５Ｅｉは分解図である。
【図１５Ｅｉｉ】本発明概念による、カーテン装着ストラップの実施形態の斜視図である。図１５Ｅｉｉはカーテン装着ストラップの近接斜視図である。
【図１５Ｅｉｉｉ】本発明概念による、カーテン装着ストラップの実施形態の斜視図である。図１５Ｅｉｉｉはカーテン装着ストラップの近接斜視図である。
【図１５Ｅｉｖ】本発明概念による、カーテン装着ストラップの実施形態の斜視図である。図１５Ｅｉｖはカーテン装着ストラップの近接斜視図である。
【図１６Ａｉ】本発明概念による、自閉式入口のカーテン装着ストラップを設置するための方法の正面図である。
【図１６Ｂｉ】本発明概念による、自閉式入口のカーテン装着ストラップを設置するための方法の正面図である。
【図１６Ｃｉ】本発明概念による、自閉式入口のカーテン装着ストラップを設置するための方法の正面図である。
【図１６Ｄｉ】本発明概念による、自閉式入口のカーテン装着ストラップを設置するための方法の正面図である。
【図１６Ａｉｉ】本発明概念による、図１６Ａｉに示されたカーテン装着ストラップを設置するための方法の側面図である。
【図１６Ｂｉｉ】本発明概念による、図１６Ｂｉに示されたカーテン装着ストラップを設置するための方法の側面図である。
【図１６Ｃｉｉ】本発明概念による、図１６Ｃｉに示されたカーテン装着ストラップを設置するための方法の側面図である。
【図１６Ｄｉｉ】本発明概念による、図１６Ｄｉに示されたカーテン装着ストラップを設置するための方法の側面図である。
【図１７】本発明概念による、図４Ｆに関して本明細書で説明するタイプの自閉式入口の正面斜視図である。
【図１８】本発明概念の別の実施形態による、自閉式入口の正面斜視図である。
【図１９】本発明概念の別の実施形態による、自閉式入口の正面斜視図である。
【図２０】本発明概念の実施形態による、ハンズフリーのパーティション入口機構のキットの斜視図である。
【図２１】本発明概念の実施形態による、ハンズフリーのパーティション入口機構を設置する方法の流れ図である。
【図２２Ａ】本発明概念の実施形態による、自閉式入口の設置および操作方法の正面斜視図である。
【図２２Ｂ】本発明概念の実施形態による、自閉式入口の設置および操作方法の正面斜視図である。
【図２２Ｃ】本発明概念の実施形態による、自閉式入口の設置および操作方法の正面斜視図である。
【図２３】本発明概念の別の実施形態による、自閉式入口の正面斜視図である。
【図２４Ａ】本発明概念の別の実施形態による、自閉式入口を設置する方法の斜視図である。
【図２４Ｂ】本発明概念の別の実施形態による、自閉式入口を設置する方法の斜視図である。
【図２４Ｃ】本発明概念の別の実施形態による、自閉式入口を設置する方法の斜視図である。
【図２５Ａ】本発明概念の別の実施形態による、カーテンを吊天井に直接設置および撤去するための道具の斜視図である。
【図２５Ｂ】本発明概念の別の実施形態による、カーテンを吊天井に直接設置および撤去するための道具の斜視図である。
【発明を実施するための形態】
【００４４】
様々な実施形態例を、いくつかの実施形態例が示された添付の図を参照して、以下でさらに十全に説明する。しかしながら本発明概念は、多くの異なる形態で具現化することができ、本明細書に記載される実施形態例に限定するものと解釈すべきではない。
【００４５】
ある要素または層が、別の要素または層に対して「上にある」、「接続される」、または「連結される」と言及される場合、他の要素もしくは層に対して直接的に上にある、接続される、もしくは連結され得るか、または介在する要素もしくは層が存在し得ることを、理解されたい。反対に、ある要素が、別の要素または層に対して「直接上にある」、「直接接続される」、または「直接接合される」と言及される場合、介在する要素または層は存在しない。同様の数字は全体を通して同様の要素を指す。本明細書で用いられるとき、用語「および／または」は、関連して列挙されたアイテムのうちの１つ以上の全ての組み合わせを含む。
【００４６】
第１、第２、第３などの用語が、本明細書では様々な要素、構成要素、領域、層、および／またはセクションを表すために使用されることがあるが、これらの要素、構成要素、領域、層、および／またはセクションは、これらの用語によって限定されるべきではないことを理解されたい。これらの用語は、１つの要素、構成要素、領域、層、またはセクションを、別の要素、構成要素、領域、層、またはセクションから区別するためのみに用いられる。したがって、以下で説明する第１の要素、構成要素、領域、層、またはセクションは、本発明概念の教示から逸脱することなく、第２の要素、構成要素、領域、層、またはセクションと称することができる。
【００４７】
「真下」、「下」、「下方」、「上」、「上方」などの空間的に相対的な用語は、本明細書では、１つの要素または特徴部の、図で示される別の要素または特徴部に対する関係を表すために、説明を簡単にするために用いられ得る。空間的に相対的な用語は、図に示された方向に加えて、使用中または操作中のデバイスの異なる方向を包含するよう意図されていることを理解されたい。例えば、図中のデバイスがひっくり返った場合、他の要素または特徴部の「下」もしくは「真下」にあるものと表された要素は、そのとき他の要素または特徴部の「上」に方向付けられている。したがって用語例「下」は、「上」および「下」の両方を包含できる。デバイスは別の様態で（９０°回転または他の方向に）方向付けられることがあり、本明細書で用いられる空間的に相対的な記述語は、それに従って解釈されることがある。
【００４８】
本明細書で用いられる用語は、特定の実施形態例を表すことだけが目的であり、本発明概念を限定することを意図するものではない。本明細書で用いられるとき、単数形「ａ」、「ａｎ」、および「ｔｈｅ」は、別途明確に示さない限り、複数形も含むことが意図される。用語「備える、含む（ｃｏｍｐｒｉｓｅ）」および／または「備えている、含んでいる（ｃｏｍｐｒｉｓｉｎｇ）」は、本明細書で用いられるとき、記載された特徴部、整数、ステップ、動作、要素、および／または構成要素の存在を指定するが、１つ以上の他の特徴部、整数、ステップ、動作、要素、構成要素、および／またはそれらのグループの存在、または追加を除外しないことを、さらに理解されたい。
【００４９】
実施形態例は、理想的な実施形態例（および中間構造）を概略で図示した断面図を参照して、本明細書で説明される。したがって、例えば製造技法および／または公差により、図示された形状からのばらつきが予測される。そのため、実施形態例は、本明細書で図示された領域の特定の形状に限定されるものと解釈すべきではなく、このような形状のずれを含むものである。
【００５０】
部屋または建物の、特定の領域またはセクションに建設残留物を留めておくことについて、従来から、ダストが被らない状態にすべき開口部またはアイテムを覆うためにプラスチックシートを据えるような単純なアプローチ方法をとっている。これらの初歩的なアプローチは失敗することが多い。なぜなら微粒子は清潔な領域に入り込めるからである。その結果、清掃は困難で時間を浪費するものとなることがあり、建設プロジェクトと関連付けられないものに影響を及ぼすことがある。
【００５１】
本願に引用して援用する、米国特許第５，９２４，４６９号、米国特許第７，６５８，２１９号、および２０１４年１０月１７日に出願された米国特許出願第１４／５１７，０６２号に開示されたようなシステムが、これらの制限に対処している。このようなシステムは、例えばプラスチック、布など様々な市販のカーテン材料またはドレープ材料と適合する。開示されたシステムは、建設区域において天井、床、または壁に損傷を与えるまたは別の様態にて痕を残すことなく、設置および撤去されるよう設計された「清潔」なシステムである。組み立ては簡単かつ迅速であり、１人で実現され得る。いくつかの状況において、仕切られた領域へと進入する／そこから退出するための、画定された入口箇所を有することが望ましい。このようなシステムのための最近の入口機構として、ジッパー付き出入口などのジッパー機構を利用できる。このようなシステムでは、作業者が手動で出入口のジッパーを開けて入退出を可能にし、入退出後に再び出入口のジッパーを閉めて入口を閉じる必要がある。作業者はこの手順を実行するのに片手が空いている必要がある。多くの状況において、作業者は道具および他の建設装備を運ぶときに両手が塞がっていることがあるため、ジッパーを使用するのは実用的ではなく、または効率が悪い。
【００５２】
本発明概念の実施形態は、作業者が入退出した後に自動で自閉する、ハンズフリーのパーティション入口機構を対象とする。パーティション入口機構は、作業者が加える力によって進入中に自ら分離する垂直閉じ目を通過できるという意味で、ハンズフリーである。いくつかの実例において、加えられる力は閉じ目を閉位置に保つよう動作する磁力より大きくてよい。例えば、作業者は、手または膝を突き出すか、あるいは任意で手を閉じ目に入れて、閉じ目を開けて磁力を分断し、次に作業者の体の残りを通過させることができる。通過した後、垂直閉じ目は磁気の相互作用によって自ら閉じ直し、それによって作業者は開口部をハンズフリーで通過できる。
【００５３】
本発明概念の実施形態は、横材によって支持されるよう構築および配置され、次に、互いに離隔された第１および第２の垂直ポールによって支持されるカーテン材料を含む、ハンズフリーのパーティション入口機構をさらに対象とする。横材は、互いに自由に摺動可能な第１および第２の端部を有するよう構築および配置される。このように、横材は自由に調整可能な長さを有する。本開示のための用語「可変長」は、自由に変更できて、ロック機構または長さ固定機構によって妨げられない長さを有する横材を指すよう本明細書で使用され、恒久的に固定される長さを有するか、または別の方法で一時的にロックもしくは固定され得る長さを有する横材とは対照的である。
【００５４】
図１Ａ〜図１Ｇは、本発明概念の実施形態による、自閉式入口を設置および操作するための方法の正面斜視図である。
【００５５】
図１Ａを参照すると、可変長の横材４４の使用は、本目的のためには固定長の横材の使用よりも大幅に有利である。この構成によって、横材４４および関連するハンズフリーのパーティション入口機構１２０を設置する前に、複数の垂直ポール１２Ａ、１２Ｂを伴うダストパーティションシステム１００を予め設置することができる。そのため、垂直ポール１２Ａ、１２Ｂが可変長の横材４４の長さ範囲Ｌｖ内の距離ｄだけ互いに離隔される限り、可変長の横材４４は予め設置された垂直ポール１２Ａ、１２Ｂに適用できる。さらに、可変長の横材４４が取り付けられる垂直ポール１２Ａ、１２Ｂが、不意の衝撃、空気圧の変化などの外力を受ける場合において、可変長の横材４４の長さ方向の固有の遊びが、垂直ポール１２Ａ、１２Ｂに誘発されるショックを吸収するよう動作して、潜在的な全体構造の破損を防ぐ。
【００５６】
それに対して、固定長の横材が利用される場合、横材を垂直ポール１２Ａ、１２Ｂに装着するのは非常に不便である。なぜならこの場合、垂直ポール１２Ａ、１２Ｂの互いに対する位置付け、およびそれらの間の距離ｄが、横材の固定長と等しくなければならないからである。垂直ポール１２Ａ、１２Ｂの頂部が、頭部１０６においてパーティションカーテン１１０の頂部に取り付けられることになるので、垂直ポール１２Ａ、１２Ｂの間の間隔または距離ｄを変更するのは特に困難である。実際、固定長の横材を設置する前に、パーティションカーテン１１０を、両ポール１２Ａ、１２Ｂの頭部１０６で取り付け位置を調整することは、非常に困難または不便となろう。さらに、固定長の横材が取り付けられる垂直ポール１２Ａ、１２Ｂが、不意の衝撃、装着されたダストパーティションカーテンの表面領域で動作する空気圧の変化、などの外力を受ける場合において、可変長の横材の長さ方向の遊びがないことは、垂直ポール１２Ａ、１２Ｂに誘発されるショックを、全システムを通して生じさせるよう動作して、システムに大変な破損をもたらす可能性がある。
【００５７】
これらおよび他の理由のため、本発明概念による可変長Ｌｖの横材４４の使用は、非常に有利である。
【００５８】
したがって、横材４４が自由に変更できる可変長を有するので、垂直ポール１２Ａ、１２Ｂが設置された後に、第１および第２の垂直ポールの間の距離ｄの範囲にわたって、横材４４は第１および第２の垂直ポール１２Ａ、１２Ｂに装着することができる。この可変長の横材４４の構成は、設置が容易であるという利点を有する。例えばいくつかの実施形態において、第１および第２の垂直ポールは、横材および入口カーテンの装着前に、装着および位置付けることができる。
【００５９】
いくつかの実施形態において、第１および第２の垂直ポールは、作業領域を清潔な領域から仕切るために設置されたダストパーティションシステムの一部を形成できる。いくつかの実施形態において、米国特許第５，９２４，４６９号および米国特許第７，６５８，２１９号に記載されたように、ダストパーティションシステムは、部屋の天井と床との間に位置付けられたカーテンまたはプラスチックシートを支持する、複数の垂直ポールを含むことができる。
【００６０】
引続き図１Ａを参照すると、ダストパーティションシステム１００は、建物の部屋の床１０２と天井１０４との間に設置された複数の垂直ポール１２を含む。垂直ポール１２の各々は、頂端部に頭部１０６を、および底端部に足部１０８を含み、長さの範囲にわたって長さを調整できる。ツイストロック機構が、垂直ポール１２の長さを調整および固定するため、ポールに含まれてもよい。いくつかの実施形態において、頭部１０６の各々は、パーティションカーテン１１０を垂直ポール１２の頂端部１０６に固定するために、例えばクリップ形態の、カーテン取り付け機構を含む。パーティションカーテン１１０は、各垂直ポール１２において天井まで持ち上げられ、垂直ポール１２は、床と天井との間で長さを調整される。いくつかの実施形態において、垂直ポールの頭部１０６は、ばね機構のような付勢機構によって、足部１０８に対して外側長手方向にばね付勢され、それによって垂直ポールは、床１０２と天井１０４との間で垂直ポール１２に加えられた鉛直圧縮力によって所定の位置に保持され得る。パーティションカーテン１１０の頂部分を垂直ポール１２の頭部１０６に適用することによって、およびパーティションカーテン１１０の底部を垂直ポールの足部１０８の下にねじ込むことによって、次にパーティションカーテン１１０に、床１０２と天井１０４との間の所定の位置で張力をかけることができる。
【００６１】
このようなシステムの設置作業員は、ダストパーティションシステムの入口領域として機能することになる、パーティションカーテン１１０の領域Ｒを指定することができる。いくつかの実施形態において設置作業員は、入口領域を指定すると、ハンズフリーのパーティション入口機構を設置する準備をすることができる。いくつかの実施形態において、ハンズフリーのパーティション入口機構１２０は、可変長の横材４４および入口カーテン２６を含む。本明細書で説明するように、可変長の横材４４は、第１および第２の端部間で自由に変更できる長さＬｖを有する。
【００６２】
このような領域Ｒにおいて、設置作業員は、第１の垂直ポール１２Ａおよび第２の垂直ポール１２Ｂを、距離ｄだけ離隔させて位置付けることができる。このような場合、距離ｄは、可変長の横材の変更可能な長さＬｖの範囲内の距離に決定される。さらに、いくつかの実施形態において、第１および第２の垂直ポール間の間隔距離ｄは、入口カーテン２６の幅Ｃｗ未満の距離ｄに選択される。領域Ｒの高さＲｈおよび幅Ｒｗは、作業者が歩いて通過することができるよう選択され得る。加えて、領域Ｒの高さＲｈおよび幅Ｒｗは、入口カーテン２６の高さＣｈおよび幅Ｃｗ未満に選択され得る。いくつかの実施形態において、示されたように領域Ｒは、第１のポール１２Ａと第２のポール１２Ｂとの間の位置で水平方向に延び、カーテン１１０の頂縁部の下の位置とカーテン１１０の底縁部との間の位置で垂直方向に延びる。
【００６３】
いくつかの実施形態において、図１Ｂを参照すると、設置作業員は、第１および第２の垂直ポール１２Ａ、１２Ｂ間の領域Ｒのパーティションカーテン１１０を、例えばナイフで切断し、パーティションカーテン１１０に開口部１１２を設ける。設置作業員によって切断する場合、余剰材１１０Ａは破棄され得る。他の実施形態において、開口部１１２はパーティションカーテン１１０に予め形成されてもよい。このような場合、設置作業員は、本明細書で説明した長さＬｖの範囲内の適切な距離ｄにおいて、予め形成された開口部１１２の両側に、第１および第２の垂直ポール１２Ａ、１２Ｂを設置することができる。
【００６４】
いくつかの実施形態において、図１Ｃを参照すると、設置作業員は、入口カーテン２６のスリーブ３６内に可変長の横材４４を位置付け、横材４４および入口カーテンを持ち上げて、領域Ｒ内に画定された開口部１１２の頂部分において第１および第２の垂直ポール１２Ａ、１２Ｂ間に位置付ける。可変長の横材４４の第１および第２の端部は、第１および第２の垂直ポール１２Ａ、１２Ｂの側本体部分に取り付けられる。横材４４の両端部は、横材４４を、第１および第２の垂直ポールの側本体部分に取り外し可能に取り付けるよう構築および配置された、横材取り付け機構５２Ａ、５２Ｂを含む。いくつかの実施形態において、本明細書で詳細に説明するように、横材取り付け機構５２Ａ、５２Ｂは、横材４４を第１および第２の垂直ポールの側本体部分に固定する、弾性的に変形可能な「Ｃ」クランプを備える。
【００６５】
いくつかの実施形態において、可変長の横材４４は、領域Ｒの頂部を入口カーテン２６の頂部分で覆うように、領域Ｒの頂部の上に第１および第２の垂直ポール１２Ａ、１２Ｂの垂直位置に位置付けられる。いくつかの実施形態において、入口カーテン２６の底部が床１０２に対して好適な距離に位置付けられるか、床１０２をわずかにかすめるよう位置付けられるか、または床１０２に付くように位置付けられるように、横材４４は第１および第２の垂直ポール１２Ａ、１２Ｂの垂直位置に位置付けられる。
【００６６】
いくつかの実施形態において、図１Ｄを参照すると、設置作業員は、１つ以上の入口カーテンクリップ５４を第１および第２の垂直ポール１２Ａ、１２Ｂに沿って位置付けて、入口カーテン２６の下部分を第１および第２の垂直ポール１２Ａ、１２Ｂに固定する。そうすることで、設置作業員は、わずかな水平方向の張力を入口カーテン２６に生じさせることができ、それによって、入口カーテン２６は第１および第２の垂直ポール１２Ａ、１２Ｂ間で、相対的に張り詰めて位置付けられる。この図において、入口カーテン２６の第１および第２の閉じ目３８Ａ、３８Ｂは、入口カーテン２６の中央領域に位置付けられ、上端部における横材４４または横材４４の下にある上部位置３８Ｕから、入口カーテン２６の下端部２６Ｌにある下部位置３８Ｌまで延びるよう、垂直に方向付けられる。ハンズフリーのパーティション入口機構１２０は、適切に設置されて使用準備が整う。
【００６７】
図１Ｅを参照すると、ハンズフリーの入口において作業者が入口カーテン２６の閉じ目３８を通過する。操作例において、作業者は道具または他のアイテムを手で運んでいることがあり、示されるように肘を閉じ目３８に押し通してよい。その結果、左右の閉じ目部分３８Ａ、３８Ｂの磁気吸引が分断され、閉じ目部分３８Ａ、３８Ｂは部分的にまたは全て分離されて、作業者が閉じ目３８を通過できるようになる。
【００６８】
図１Ｆを参照すると、作業者は入口を通過している。閉じ目３８におけるマグネットの位置付けの結果、ならびに、入口カーテン２６が重力および磁気吸引によって自然に開口部の所定の位置に戻って垂れるときのマグネットの近接性の結果、左右の閉じ目部分３８Ａ、３８Ｂは互いに対して再配置され、閉じ目３８を自閉させる。左右の閉じ目部分の位置合わせは、いくつかの要因によってさらに確実となり得る。いくつかの要因として、左右の閉じ目部分３８Ａ、３８Ｂのマグネットの相対的配置と、入口カーテン下端部２６Ｌの底部におけるウェイト６１（図６参照）の配置と、左右の垂直ポール１２Ａ、１２Ｂおよび可変長の横材４４の間において入口カーテンを装着する張力と、入口カーテンの材料と、入口カーテンの重量と、他の要因と、これら要因の組み合わせとが挙げられる。このように、ハンズフリーのパーティション入口機構は、パーティションを再連結するよう動作して、次の作業者が通過するために入口を自動的に準備する。
【００６９】
図１Ｇを参照すると、作業者はハンズフリーのパーティション入口１２０を完全に通過している。その結果、左右の閉じ目部分３８Ａ、３８Ｂのマグネットは、上位置３８Ｕから下位置３８Ｌまで閉じ目全体にわたって、互いに再び位置合わせされて整合される。このように、閉じ目３８Ａ、３８Ｂは自閉し、ハンズフリーのパーティション入口システムは再びダストパーティションとして動作可能となる。
【００７０】
図２Ａは本発明概念の実施形態による、ハンズフリーのパーティション入口機構の正面斜視図である。図２Ｂは本発明概念の実施形態による、ハンズフリーのパーティション入口機構の近接背面斜視図である。
【００７１】
図２Ａは本発明概念の実施形態による、ダストパーティションシステムに設置されたハンズフリーのパーティション入口機構１２０の斜視図である。機構１２０は、可変長の横材４４および入口カーテン２６を含む。この図において、いくつかの実施形態において、入口カーテン２６が横材スリーブ３６を含むことが確認できる。横材スリーブ３６は、可変長の横材４４が、横材スリーブ３６を貫通して、左右の横材取り付け機構５２Ａ、５２Ｂで第１および第２の垂直ポール１２Ａ、１２Ｂの側部分に連結され得るように、可変長の横材４４を収容するよう構成することができる。横材スリーブ３６は、入口カーテン２６が可変長の横材４４によって吊り下げられたとき、その重量を支持するよう構築および配置され得る。入口カーテンクリップ５４はさらに、入口カーテン２６の第１および第２の垂直外側縁部領域１６Ａ、１６Ｂの部分を、第１および第２の垂直ポール１２Ａ、１２Ｂに固定することによって、入口カーテンの重量を支持する働きをする。いくつかの実施形態において、カーテンクリップ５４は、入口カーテン２６の張力を調整するために使用されてよく、それによって第１および第２の磁気式閉じ目３８Ａ，３８Ｂの作用が最適化される。
【００７２】
図２Ｂｉを参照すると、可変長の横材４４が、例えばスリーブ開口部３６Ａを介して横材スリーブ３６の中で、両端を接して位置付けられ得ることが確認できる。様々な実施形態において、スリーブ開口部３６Ａは、スリーブ３６の端部に、あるいはスリーブ３６の中間位置に位置付けられてもよい。横材取り付け機構５２は、垂直ポール１２Ａ、１２Ｂの側壁近くの位置で、横材スリーブ３６の中に位置付けることができる。横材取り付け機構５２は、例えば図に示されるように、横材スリーブ３６の材料を介してポール１２Ａ、１２Ｂの側壁に係合するよう構成されてよく、それによってカーテン２６の材料は、取り付け機構５２が係合したときに、取り付け機構５２とポール１２Ａ、１２Ｂとの間に位置付けられる。このように、可変長の横材４４と垂直ポール１２Ａ、１２Ｂとの係合点は、入口カーテン２６の上角部の固定箇所としての働きをすることもできる。この図において、この例で使用された可変長の横材の実施形態は、入れ子式の横材４４を含み、内側部分６４Ｂは自由に摺動して外側部分６４Ａに入り、外側部分６４Ａから出ることが確認できる。
【００７３】
他の実施形態、例えば図２Ｂｉｉに示される実施形態において、横材スリーブ３６−１は、入口カーテン２６の本体の中間部分に位置する開口部３６Ａ−１で終端するよう位置付けられてよい。図示された実施形態において、横材６４Ａ、６４Ｂは横材スリーブ３６−１の端部３６Ａ−１から延びているのが確認できる。したがって、横材４４の取り付け機構５２は、ポール１２Ａ、１２Ｂの側部分と直接係合する。このような実施形態において、本明細書で説明したように、入口カーテン２６をポール１２Ａ、１２Ｂ、またはパーティションカーテン１１０に固定するために、他の機構が利用される。
【００７４】
図３Ａ〜図３Ｄは、本発明概念の実施形態による、可変長の横材４４の様々な実施形態の上面図である。一実施形態において、図３Ａを参照すると、可変長の横材４４Ａは入れ子式ポール６０を備える。第１および第２の横材取り付け機構５２Ａ、５２Ｂは、入れ子式ポール６０の第１および第２の対応する端部に連結される。本実施形態において、入れ子式ポール６０は、中間部分６０Ａ、ならびに第１および第２の端部分６０Ｂ、６０Ｃを含む。中間部分６０Ａは、第１および第２の端部分６０Ｂ、６０Ｃの外幅よりも大きい内幅を有し、それによって第１および第２の端部分６０Ｂ、６０Ｃは、中間部分６０Ａに対して自由に摺動する。第１および第２の端部分６０Ｂ、６０Ｃの内側端部には、止め材（図示せず）が含まれてよく、第１および第２の端部分６０Ｂ、６０Ｃが、中間部分６０Ａから不意に外れるのを防止する。横材４４がパーティションカーテン１１０もしくはスリーブ３６の材料を引っかけるのを防止するか、または設置作業員の指が挟まれるのを防止するために、カラー６２Ａ、６２Ｂが、中間部分６０Ａと端部分６０Ｂ、６０Ｃとの接合点に提供されてもよい。
【００７５】
別の実施形態において、図３Ｂを参照すると、可変長の横材４４Ｂは、図３Ａの実施形態と同様に、第１および第２の横材取り付け機構５２Ａ、５２Ｂを含む入れ子式ポール６４を備える。しかし本実施形態において、入れ子式ポールは、ベース部分６４Ａおよび単一の端部分６４Ｂを含む。ベース部分６４Ａは、端部分６４Ｂの外幅よりも大きい内幅を有し、それによって端部分６４Ｂは、ベース部分６４Ａに対して自由に摺動できる。端部分６４Ｂが、ベース部分６４Ａから不意に外れるのを防止するために、第１の端部分６４Ｂの内側端部には、止め材（図示せず）が含まれてよい。横材４４がパーティションカーテン１１０もしくはスリーブ３６の材料を引っかけるのを防止するか、または設置作業員の指が挟まれるのを防止するために、カラー６２Ａが、ベース部分６４Ａと端部分６４Ｂとの接合点に提供されてもよい。
【００７６】
別の実施形態において、図３Ｃを参照すると、可変長の横材４４Ｃは、図３Ａ〜図３Ｂの実施形態と同様に、第１および第２の横材取り付け機構５２Ａ、５２Ｂを含む入れ子式ポール６６を備える。しかし本実施形態において、入れ子式ポールはベース部分６６Ａ、中間部分６６Ｂ、および端部分６６Ｃを含む。ベース部分６６Ａは、中間部分６６Ｂの外幅よりも大きい内幅を有し、それによって中間部分６６Ｂは、ベース部分６６Ａに対して自由に摺動できる。同様に、中間部分６６Ｂは、端部分６６Ｃの外幅よりも大きい内幅を有し、それによって端部分６６Ｃは、中間部分６６Ｂに対して自由に摺動できる。端部分６６Ｃおよび中間部分６６Ｂの内側端部には、止め材（図示せず）が含まれてよく、それらが不意に外れるのを防止する。横材４４がパーティションカーテン１１０もしくはスリーブ３６の材料を引っかけるのを防止するか、または設置作業員の指が挟まれるのを防止するために、カラー６２Ａ、６２Ｂが、ベース部分６６Ａ、中間部分６６Ｂ、および端部分６４Ｃの接合点に提供されてもよい。
【００７７】
いくつかの実施形態において、可変長の横材４４の入れ子式ポール６０、６４、６６の部分の断面は、一般的に円形だが、本発明概念の実施形態はそれに限定されない。例えば他の実施形態において、横材４４の断面は、楕円形、正方形、矩形、六角形など、および当業者に公知である他の外形であってもよい。
【００７８】
いくつかの実施形態において、図３Ｄを参照すると、可変長の横材４４は第１および第２の細長い部材６８Ａ、６８Ｂを備えることができ、それらは互いに並行して摺動するよう摺動可能な関係となるようにクランプ７０Ａ、７０Ｂで互いにクランプ止めされる。第１および第２の横材取り付け機構５２Ａ、５２Ｂは、図３Ａ〜図３Ｃの実施形態の方法と同様の方法で含まれてよい。
【００７９】
可変長の横材４４の本体は、アルミニウム、スチール、合金、グラファイト、複合材料、繊維ガラス、プラスチック、木材、または当業者に公知の任意の他の好適な材料を含む、いくつかの好適な材料のいずれかを含み得る。横材スリーブ３６が入口カーテン２６を支持するために入口カーテン２６に含まれる、いくつかの実施形態において、横材４４は、横材スリーブ３６の内幅未満の外幅を有し得る。
【００８０】
図４Ａ〜図４Ｄは、本発明概念による、入口カーテン２６における横材スリーブ３６の様々な実施形態の斜視図である。様々な実施形態において、横材スリーブ３６は、入口カーテン２６の本体材料に縫合される、押圧される、接着剤で接着される、または他の方法で接合される材料部分を備えてよい。
【００８１】
図４Ａに示された実施形態において、横材スリーブ３６は、入口カーテン２６の頂部分全体にわたって延びる。図２に関して本明細書で説明したように、可変長の横材４４は、スリーブ開口部３６Ａで横材スリーブ３６に挿入できる。
【００８２】
図４Ｂに示された実施形態において、複数の横材スリーブ３６Ａ、３６Ｂが、入口カーテン２６の異なる垂直位置で、入口カーテン２６を横断して延びる。このように入口カーテン２６は、床の上の異なる高さで設置するために容易に変更され得る。
【００８３】
図４Ｃに示された実施形態において、横材スリーブ３６は、入口カーテン２６を横断して延びるが、本実施形態のスリーブは、可変長の横材４４を挿入できる複数の隣り合ったループ３６Ｄの材料を備える。
【００８４】
図４Ｄに示された実施形態において、横材スリーブ３６は、入口カーテン２６の材料に形成された複数の開口部３６Ｅを備える。このように、可変長の横材の本体は、入口カーテン２６を支持するため、開口部に交互に挿入され得る。いくつかの実施形態において、開口部は、入口カーテン２６の本体の破損に抵抗するために、ウェビングまたは縫合３６Ｅ−１によって補強され得る。
【００８５】
図４Ｅに示された実施形態において、横材スリーブ３６は、入口カーテンの本体の中間部分に位置付けられたスリーブ開口部３６Ａ−１で終端する。このように、横材６４Ａ、６４Ｂの取り付け機構５２は、少なくとも図２Ｂｉｉで説明かつ示された実施形態に関して本明細書で説明したように、ポール１２Ａ、１２Ｂの側部分に直接係合するよう作られてよい。
【００８６】
図４Ｅの実施形態と同様の、図４Ｆに示された実施形態において、横材スリーブ３６は、入口カーテン２６の本体における水平方向の中間部分に位置付けられたスリーブ開口部３６Ａ−２で終端する。しかし図４Ｆの本実施形態において、横材スリーブ３６は、入口カーテン２６の垂直方向の中間位置にさらに位置付けられる。このように、入口カーテン２６の上部領域２６Ａは、横材スリーブ３６の上に延びる。この実施形態は、例えば本明細書で説明するような磁気カーテン装着ストラップなどのストラップを使用して、入口カーテン２６の上部領域２６Ａを、パーティションカーテン１１０へ直接取り付けやすい。
【００８７】
図４Ｇに示された実施形態において、水平方向の中間および垂直方向の中間に位置付けられた横材スリーブ３６が提供される。この実施形態は図４Ｆに示された実施形態と同様だが、本実施形態において、スリーブの長さがさらに短くされ、それによってスリーブ開口部３６Ａ−３は、第１および第２の閉じ目３８Ａ、３８Ｂの上の位置に隣接して位置付けられる。このような実施形態において、短くされたスリーブ３６は、第１および第２の閉じ目３８Ａ、３８Ｂの直ぐ上で入口カーテンの重量を支持するよう動作し、設置されたときに自閉式閉じ目３８Ａ、３８Ｂにおける磁気動作の制御を向上させる。
【００８８】
いくつかの実施形態において、横材スリーブ３６が無い場合、入口カーテン２６は、入口カーテンを可変長の横材４４の本体周りに固定するために構築および配置されたクリップを使用して、可変長の横材４４に連結され得る。例えばクリップは、可変長の横材の本体周りでプレス嵌めできるような内幅の、Ｃ形状の内側断面を有してよい。いくつかの実施形態において、クリップは、図２Ａ、図１０Ａ、および図１０Ｂに関して本明細書で示され説明した、カーテンクリップ５４の構造と類似したものであってよい。
【００８９】
例えば図４Ａに示されたような、いくつかの実施形態において、横材スリーブ３６は、入口カーテン２６の本体材料に縫合される、押圧される、接着剤で接着される、または他の方法で接合されるスリーブ材料を備えてよい。可変長の横材４４は、スリーブ３６の長さを貫通でき、第１および第２の垂直ポール１２Ａ、１２Ｂの端部に連結させることができる。
【００９０】
図４Ａの実施形態において、スリーブ３６が、可変長の横材４４の外幅よりも大きい内幅を有することが確認できる。いくつかの実施形態において、スリーブ３６は、横材取り付け機構５２Ａ、５２Ｂを含む可変長の横材４４の全体を覆うよう、十分に長い。例えばいくつかの実施形態において、スリーブ３６は、入口カーテン２６の幅Ｃｗと等しい長さである。このように、横材取り付け機構５２Ａ、５２Ｂは、入口カーテンの上部の左右部分を、左右の垂直ポール１２Ａ、１２Ｂに連結するよう動作できる。他の実施形態において、スリーブ３６は、可変長の横材４４の横材取り付け機構５２Ａ、５２Ｂが露出されて、左右の垂直ポール１２Ａ、１２Ｂに直接連結するような、比較的短い長さであってもよい。
【００９１】
いくつかの実施形態において、横材スリーブ３６は、入口カーテン２６に取り付けられた別々の構成要素であってもよい。いくつかの実施形態において、スリーブ３６は、入口カーテン２６の別の部分から形成されてもよい。例えば、入口カーテンの材料の頂部分を折り返すことによって、スリーブ３６を形成し得る。
【００９２】
図５Ａ〜図５Ｃは、本発明概念の実施形態による、入口カーテンの閉じ目に利用され得るマグネットの配置の、代替の実施形態の正面図である。
【００９３】
図５Ｃの実施形態において、入口の閉じ目３８は、第１および第２の閉じ目３８Ａ、３８Ｂを含む。第１および第２の閉じ目３８Ａ、３８Ｂの各々は、複数の細長いマグネット４０Ａ、４０Ｂを含む。いくつかの実施形態において、細長いマグネット４０Ａ、４０Ｂは円形断面の円筒形である。他の実施形態において、細長いマグネット４０Ａ、４０Ｂは、矩形または正方形の断面を有する棒を含む。様々な実施形態において、マグネット４０Ａ、４０Ｂは永久磁石を含む。いくつかの実施形態において、マグネット４０Ａ、４０Ｂは、強磁性体材料、金属、磁気特性を呈する合金もしくは複合材料、または他の好適な磁気材料のうちの１つ以上の材料タイプを含む。
【００９４】
いくつかの実施形態において、細長いマグネット４０Ａ、４０Ｂは、示されるように、第１の閉じ目３８Ａの第１のマグネット４０Ａが、第２の閉じ目３８Ｂの第２のマグネット４０Ｂの反対側で垂直位置に位置付けられるように、閉じ目３８Ａ、３８Ｂに沿って位置付けられる。特に、第１の閉じ目３８Ａの各第１のマグネット４０Ａ、および対応する第２の閉じ目３８Ｂの第２のマグネット４０Ｂは、それぞれのＮ極およびＳ極が対向するよう位置付けられてよく、それによって、それらは示されるように互いに吸引する。このように、隣接するマグネット４０Ａ、４０Ｂの磁場は、自然に互いを吸引し入口カーテンの閉じ目３８を付勢してよく、それによって入口カーテンは閉じた状態になるよう自然に付勢されることになる。いくつかの実施形態において、例えばそれぞれの垂直位置を固定するための水平の閉じ目の縫合３９によって、マグネットは画定された垂直位置に固定されてよく、それによって第１および第２の閉じ目３８Ａ、３８Ｂを、確実に長期間吸引する。いくつかの実施形態において、マグネット４０Ａおよび４０Ｂは、閉じ目３８Ａおよび３８Ｂのスリーブ部分に位置付けられてもよい。別の実施形態において、閉じ目３８Ａ、３８Ｂのうちの一方はマグネットを含むことができ、他方の閉じ目３８Ｂ、３８Ａは、金属要素などの磁気吸引材料の要素を含むことができる。
【００９５】
図５Ｂの実施形態において、スリーブ内に位置付けるのではなく、マグネット４１Ａ、４１Ｂは露出され、閉じ目３８Ａ、３８Ｂの内側縁部の外部分に位置付けられる。この実施形態において、マグネット４１Ａ、４１Ｂは、縫合、接合、プレス嵌め、クランピングなどを含む、いくつかの好適な機構のうちのいずれかを使用して閉じ目３８に接着され得る。
【００９６】
図５Ｃの実施形態において、マグネット４３Ａ、４３Ｂは棒ではなく別個の要素を含む。いくつかの実施形態において、別個の要素は、球形要素、円形要素、または他の外形の別個の要素を含むことができる。個々のマグネット４３Ａ、４３Ｂは、垂直方向に互いに離隔して位置付けられてよく、対向する閉じ目３８Ａ、３８Ｂの、対応する隣接したマグネットが吸引するよう選択され得る。別の実施形態において、閉じ目３８Ａ、３８Ｂのうちの一方はマグネットを含むことができ、他方の閉じ目３８Ｂ、３８Ａは、金属要素などの磁気吸引材料の要素を含むことができる。
【００９７】
図６は、本発明概念の実施形態による、入口カーテンの一実施形態の正面図である。この図において、ウェイト６１が入口カーテン２６の下端部２６Ｌに沿って位置付けることができることが確認できる。本明細書で説明するように、ウェイト６１は、長手方向の張力を入口カーテン２６の本体に加えることによって、第１および第２の閉じ目３８Ａ、３８Ｂを確実に位置合わせする助けとなり得る。
【００９８】
いくつかの実施形態において、対向する閉じ目３８Ａ、３８Ｂに位置付けられたマグネットは、左右の閉じ目間の磁力を作り出す反極性を有しているので、静止位置において、磁力は閉じ目３８Ａ、３８Ｂを互いに隣に位置付けられたままにするようつなぎ止めるのに十分強い。それと同時に作業者が、吸引された閉じ目を分断して、大きい抑制もなく容易に閉じ目を歩いて通過できるくらい磁気吸引力が弱くなるように、十分に力の弱いマグネットが選択され得る。いくつかの実施形態において、マグネットは、簡単に肘で突くことで、閉じ目３８Ａ、３８Ｂ間の磁力を分断するのに十分な力を作り出すことになるような強さで選択される。
【００９９】
図５Ａに示されたタイプの細長いマグネット４０Ａ、４０Ｂが利用されるいくつかの実施形態において、共通の閉じ目３８Ａのマグネット４０Ａは閉じ目３８Ａに沿って位置付けられ、それによってそれらは垂直方向に互いからの特定の距離の離隔が保たれる。対応する閉じ目３８Ｂのマグネット４０Ｂは同様に位置付けられる。この構成は、確実に２つの閉じ目３８Ａ、３８Ｂを適切に並ばせるのに役立ち、マグネットが斜めになること、および入口カーテンが折れるのを防止する。マグネットが斜めになると、入口カーテンの底端部２６Ｌは整合せず、入口カーテン２６の下部に隙間を形成することになる。他の実施形態において、異なる長さの細長い棒状マグネットを共通の閉じ目３８Ａに、異なる長さの対応するマグネットを対向する閉じ目３８Ｂに利用することができる。この配置は、第１および第２の閉じ目３８Ａ、３８Ｂを適切に垂直方向に位置合わせをすることを確実に行うための、さらなる助けとなり得る。
【０１００】
図７は、本発明概念の実施形態による、相補的な磁気吸引面と相互作用するよう構築および配置された磁気式閉じ目を有する、入口カーテンの正面斜視図である。示されたいくつかの実施形態において、入口カーテン２６の一部分は、複数のマグネット７２を含む外側縁部７１を有し得る。このように、カーテンの外側縁部７１は、隣接する壁のＩ型鋼７３などの好適な表面と磁気吸引できる。
【０１０１】
いくつかの実施形態において、入口カーテン２６は、丈夫な材料で形成することができる。いくつかの実施形態において、入口カーテン２６は、耐久性ナイロン材料を含むことができる。いくつかの実施形態において、入口カーテン２６は、ナイロンタフタを含むことができる。いくつかの実施形態において、入口カーテン２６は、リップストップのナイロンまたはリップストップのナイロンタフタを含むことができる。いくつかの実施形態において、入口カーテン２６は、合成織物材料または天然織物材料を含むことができる。いくつかの実施形態において、入口カーテン２６は、プラスチック材料を含むことができる。一般的に、タフタまたは織物材料は相対的によりしなやかで、かつ柔軟な感触を有し、風が通るとき、または偶然触れたときに、相対的により静かであるように設置する働きをすることができる。
【０１０２】
いくつかの実施形態において、入口カーテン２６は、分離された作業領域を見えなくするよう不透明であってもよく、それによって作業現場に、プライベート、清潔、および専門的な外観をもたらす。
【０１０３】
いくつかの実施形態において、入口カーテン２６の外側部分は縁取りを有してもよく、それによって清潔で専門的な外見を作り出し、かつ入口カーテン２６の材料の将来的な擦り切れを低減する。
【０１０４】
図８Ａ〜図８Ｂは、本発明概念の実施形態による、クリップの形態であるクイック解放式の横材取り付け機構の、それぞれ組立斜視図および分解斜視図である。
【０１０５】
示されるように、横材取り付け機構５２は、可変長の横材４４の端部など、対応する内径のポール端部に挿入されるよう構築および配置される。横材取り付け機構５２は、ロックベース部分６０４を第１の端部に、クリップ部分６０２を第１の端部の反対側の第２の端部に含む。クリップ部分６０２は、垂直ポール１２Ａ、１２Ｂの側部分にプレス嵌めされ得るようにＣ形状でかつ補強され、可変長の横材４４が垂直ポール１２Ａ、１２Ｂへ取り付けられ、および連結されるのを可能にする。ロックベース部分６０４は、偏心スプール６０８を係合するロックリング６２０を備えるツイストロック機構を含む。スプール６０８の中心軸６０８Ａは、ベース部分６０４の本体の中心軸６０４Ａから離隔されている。図８Ｃに示すように、ロックリング６２０は、相対的に厚い部分Ｔ２と相対的に薄い部分Ｔ１との間で変化する厚さを有する。このように、ロックリング６２０は、ロックベース部分６０４の、ポールの内側に対する干渉を最小限に抑えるために、偏心スプール６０８の第１の位置に位置付けられてよく、これによってロックベース部分６０４が、対応するポール４４の端部に自由に摺動して出入りできる。次に、横材取り付け機構５２をポールに対して捩ることによって、より厚い部分Ｔ２がポール４４の内側領域に干渉できるように作ることができ、横材取り付け機構５２をポール端部内でロックする。反対方向に捩るだけで、ロック機構を再び解放して、横材取り付け機構５２をポールの端部から取り外すことができる。いくつかの実施形態において、ロックリング６２０は、スプール６０８から外れるのを防止するために、第１および第２の座部６０６、６１０の間に着座する。リップ部６１４は、ベース部分６０４とクリップ６０２との境界面に提供されてよく、横材取り付け機構５２のポールへの最大挿入の基準をもたらす。
【０１０６】
図８Ａおよび図８Ｂの実施形態では、クリップ６０２が「Ｃ」形状の断面を有するものとして示されるが、可変長の横材４４を垂直ポール１２Ａ、１２Ｂに連結するのに好適な他のクリップまたは取り付け装置が、本発明概念の原理に等しく適用され得る。いくつかの実施形態例において、横材取り付け機構５２Ａ、５２Ｂは、ピンおよび嵌合穴、棒、ロッド、クランプ、マジックテープ（登録商標）システムなどを、可変長の横材４４を垂直ポール１２Ａ、１２Ｂに連結するために備えてもよい。
【０１０７】
いくつかの実施形態において、横材取り付け機構５２Ａ、５２Ｂが取り付けられる垂直ポール１２は、異なる外幅のセグメントを有する入れ子式ポールである。その結果、横材取り付け機構５２Ａ、５２Ｂが連結されるポール１２のセグメントの外幅は、変化し得る。したがって、本発明概念の実施形態は、異なる内幅Ｗ１、Ｗ２、Ｗ３のＣクリップ６０２を有する、複数の横材取り付け機構５２を含んでもよい。例えば、図８Ｄに示された実施形態において、各横材取り付け機構５２−１、５２−２、５２−３は、それぞれ異なる内幅Ｗ１、Ｗ２、Ｗ３のＣクリップ６０２を有することを例証している。例えばいくつかの実施形態において、Ｗ１＞Ｗ２＞Ｗ３である。横材取り付け機構５２は、本明細書で説明したクイック解放タイプのロックベース部分６０４をさらに含む。したがって設置作業員は、Ｃクリップが連結されるポールおよびポールセグメントの外幅によって、可変長の横材４４の端部に好適なサイズのＣクリップを素早く設置することができる。
【０１０８】
図９は、本発明概念の実施形態による、中空の円筒形ポールの端部に挿入するために構築および配置された、組み立てられたクイック解放式の自在継手機構６５３の斜視図である。本実施形態において、機構のベース部分６０４が、本明細書で説明した横材取り付け機構５２のベース部分と同じ、または同様であることが確認できる。しかし本実施形態において、機構の頂部分は、玉継手のボールを備える。いくつかの実例において、このボールは、米国マサチューセッツ州アーリントンの、Ｚｉｐｗａｌｌ  ＬＬＣによって販売される、Ｚｉｐｗａｌｌダストパーティションシステムに関連して使用される、標準的な玉継手の自在継手に従って、サイズを決めることができる。
【０１０９】
図１０Ａは、本発明概念の実施形態による、カーテンクリップ５４の斜視図である。いくつかの実施形態において、カーテンクリップ５４は、入口カーテンの部分を垂直ポール１２Ａ、１２Ｂの側部分にクリップで留めるために利用される。図１０Ｂに示されるように、いくつかの実施形態において、カーテンクリップ５４は、複数の内幅Ｗ１、Ｗ２、Ｗ３を有するように構成された複数のカーテンクリップ５４−１、５４−２、５４−３を備えることができ、それによって、それらは対応する複数の外幅のポールセグメントと適合する。いくつかの実施形態において、クリップの内幅はＷ１、Ｗ２、Ｗ３で表すことができ、ここでＷ１＞Ｗ２＞Ｗ３である。
【０１１０】
図１１は、本発明概念の実施形態による、ハンズフリーのパーティション入口機構のキットの斜視図である。いくつかの実施形態において、キット７１は入口カーテン２６、可変長の横材４４、および異なるそれぞれの内幅Ｗ１、Ｗ２、Ｗ３の横材取り付け機構５２−１、５２−２、５２−３の複数の対を含む。任意選択で、キットは、各セットが複数の内幅Ｗ１、Ｗ２、Ｗ３を有するように構成された、カーテンクリップ５４−１、５４−２、５４−３の複数のセットをさらに含んでもよい。
【０１１１】
図１２は、本発明概念の実施形態による、ハンズフリーのパーティション入口機構を設置する方法の流れ図である。
【０１１２】
初めに、図１Ａに関して本明細書で説明したように、ダストパーティションシステムの垂直ポール間における距離ｄのサイズが決められる９２−１。
【０１１３】
次に、図１Ｂに関して本明細書で説明したように、入口カーテンが設置される領域Ｒの箇所が特定される９２−２。
【０１１４】
図１Ｃに関して本明細書で説明したように、可変長の横材がカーテンのスリーブに装着され９２−３、可変長の横材および入口カーテンが垂直ポールに装着される９２−４。
【０１１５】
図１Ｄに関して本明細書で説明したように、入口カーテンの側部分が垂直ポールに固定される９２−５。
【０１１６】
図１Ｅ〜図１Ｇに関して本明細書で説明したように、ここでハンズフリーのパーティション入口システムは、動作の準備が整う９２−６。
【０１１７】
図１３は、本発明概念の別の実施形態による、自閉式入口の正面斜視図である。本実施形態において、本明細書で説明したように、自閉式閉じ目３８を含む入口カーテン２６が、可変長の横材４４を使用してパーティションカーテン１１０およびポール１２Ａ、１２Ｂに装着されることが確認できる。本実施形態における１つの相違点は、入口カーテン２６の横材スリーブ３６が、入口カーテン２６の本体の中間箇所に開口部を含むタイプのものであり、そのため横材スリーブ３６は入口カーテン２６の左右の縁部領域には延びない点である。したがって、可変長の横材４４の端部および対応する取り付け機構は、例えば図２Ｂｉｉおよび図４Ｅに関して示され説明された実施形態と同様の方法で露出される。
【０１１８】
図１３の実施形態において、入口カーテンのクリップ５４（図１Ｄ参照）は、入口カーテン２６をパーティションカーテン１１０に取り付けるために必要ではないことも確認できる。代わりに、複数のカーテン装着ストラップ２００Ａ〜２００Ｅが、入口カーテン２６の本体をパーティションカーテン１１０に装着するために含まれる。本明細書で説明したように、カーテン装着ストラップ２００Ａ〜２００Ｅの各々は、それらの間で入口カーテン２６およびパーティションカーテン１１０の部分を互いに連結する、フロントストラップおよびバックストラップを含む。フロントストラップおよびバックストラップは、入口カーテン２６の部分を固定して、パーティションカーテンに対する入口カーテン２６の動きを防止する。
【０１１９】
図１３に示されるように、カーテン装着ストラップ２００Ａ〜２００Ｅは、設置した入口カーテン２６に対応するパーティションカーテン１１０の開口部の、領域Ｒを囲んで位置付けることができる。いくつかの実施形態において、第１および第２のカーテン装着ストラップ２００Ａ、２００Ｂは、自閉式閉じ目３８の左側に垂直の配向で位置付けられ、一方で第３および第４のカーテン装着ストラップ２００Ｃ、２００Ｄは自閉式閉じ目３８の右側に垂直の配向で位置付けられる。カーテン装着ストラップ２００Ａ、２００Ｂ、２００Ｃ、２００Ｄは、入口カーテン２６の外側の左／右縁部と、パーティションカーテン１１０の開口部の領域Ｒにおける内側の左／右縁部との間に位置付けられる。同様に、第５のカーテン装着ストラップ２００Ｅが、自閉式閉じ目の頂部３８Ｕの上、かつ横材スリーブ３６の下に、水平の配向で位置付けられる。カーテン装着ストラップ２００Ｅは、入口カーテン２６の頂縁部と、パーティションカーテン１１０の開口部の領域Ｒにおける内側頂縁部との間に位置付けられる。このように、カーテン装着ストラップ２００Ａ〜２００Ｅは、パーティションカーテン１１０に対する入口カーテン２６の位置を固定するよう動作する。
【０１２０】
いくつかの実施形態において、入口カーテンクリップ５４（図１Ｄ参照）をポール１２Ａ、１２Ｂの本体に取り付ける必要なく、カーテン装着ストラップ自体を使用して、入口カーテン２６をパーティションカーテン１１０に対して所定の位置に固定することができる。他の実施形態において、入口カーテンクリップ５４が、設置強度を高めるために、さらに任意で使用され得る。
【０１２１】
図１４Ａ〜図１４Ｆは、本発明概念による、図１３に関して図示および説明した実施形態による、自閉式入口の設置および操作方法の正面斜視図である。
【０１２２】
いくつかの実施形態において、図１４Ａを参照すると、図１Ｃに関して本明細書で説明したように、設置作業員は、可変長の横材４４を入口カーテン２６のスリーブ３６内に位置付けて、横材４４および入口カーテンを持ち上げて、領域Ｒ内に画定された開口部１１２の頂部分で、第１および第２の垂直ポール１２Ａ、１２Ｂ間に位置付ける。可変長の横材４４の第１および第２の端部が、本明細書で説明したように、横材取り付け機構５２を使用して、第１および第２の垂直ポール１２Ａ、１２Ｂの側本体部分に取り付けられる。
【０１２３】
いくつかの実施形態において、図１４Ａを参照すると、次に設置作業員は、閉じ目３８を開いて、入口カーテン装着ストラップ２００を設置する準備をする。各カーテン装着ストラップ２００の表部分が入口カーテン２６／パーティションカーテン１１０の表面に設置されるため、一方で各カーテン装着ストラップ２００の裏部分が入口カーテン２６／パーティションカーテン１１０の裏面に設置されるので、閉じ目３８は開けられる。したがって、表面および裏面両方への同時アクセスが望ましい。あるいは、２人の設置作業員を設置現場の表面および裏面に位置付けてもよい。
【０１２４】
いくつかの実施形態において、図１４Ｂを参照すると、設置作業員は第５のカーテン装着ストラップ２００Ｅを、自閉式閉じ目の頂部３８Ｕの上に、かつ横材スリーブ３６の下に、水平方向で設置する。作業中、設置作業員は要望に応じて、入口カーテン２６の底部２６Ｌが床１０２に対して好適な距離に位置付けられるか、床１０２をわずかにかすめるよう位置付けられるか、または床１０２に付くように位置付けられるように、第５のカーテン装着ストラップ２００Ｅを位置付けることができる。
【０１２５】
いくつかの実施形態において、図１４Ｃを参照すると、設置作業員は、第４のカーテン装着ストラップ２００Ｄを、入口カーテン２６の外側右縁部と、パーティションカーテン１１０の開口部１１２の領域Ｒにおける内側右縁部との間に設置する。いくつかの実施形態において、図１４Ｄを参照すると、設置作業員は、第３のカーテン装着ストラップ２００Ｃを、入口カーテン２６の外側右縁部と、パーティションカーテン１１０の開口部１１２の領域Ｒにおける内側右縁部との間で、第４のカーテン装着ストラップ２００Ｄの下に設置する。
【０１２６】
いくつかの実施形態において、図１４Ｅを参照すると、設置作業員は、第２のカーテン装着ストラップ２００Ｂを、入口カーテン２６の外側左縁部と、パーティションカーテン１１０の開口部１１２の領域Ｒにおける内側左縁部との間に設置する。いくつかの実施形態において、図１４Ｆを参照すると、設置作業員は、第１のカーテン装着ストラップ２００Ａを、入口カーテン２６の外側左縁部と、パーティションカーテン１１０の開口部１１２の領域Ｒにおける内側左縁部との間で、第２のカーテン装着ストラップ２００Ｂの下に設置する。
【０１２７】
カーテン装着ストラップ２００Ａ〜２００Ｅの設置を、第５のカーテン装着ストラップ２００Ｅから始め、続いて順次残りの第４から第１の装着ストラップ２００Ｄ〜２００Ａを設置するという、特定の順番で説明および図示したが、設置の任意の好適な順番が、本発明概念の原理に等しく適用可能である。例えば、第１および第３のカーテン装着ストラップ２００Ａ、２００Ｃを始めに装着し、その後に第２および第４のカーテン装着ストラップ２００Ｂ、２００Ｄ、その後に第５のカーテン装着ストラップ２００Ｅを装着してもよい。任意の設置順が可能で、等しく適用可能である。
【０１２８】
図１５Ａｉおよび図１５Ｂｉは、本発明概念による、カーテン装着ストラップの実施形態の斜視図である。図１５Ａｉｉおよび図１５Ｂｉｉは、本発明概念による、装着された位置にある図１５Ａｉおよび図１５Ｂｉのカーテン装着ストラップの実施形態の近接斜視図である。
【０１２９】
図１５Ａｉ、図１５Ａｉｉに示される第１の実施形態において、カーテン装着ストラップ２００は、第１のストラップ部分２２０および第２のストラップ部分２２２を備える。第１のストラップ部分２２０は、細長い凹型受け部を含む。いくつかの実施形態例において、第１のストラップ部分２２０は、プラスチックまたはゴムなどの曲げやすく、柔軟な材料を含み得る。第２のストラップ部分２２２は、第１のストラップ部分２２０の凹型領域２２４にプレス嵌めされるサイズの、同様の細長い部材を含む。いくつかの実施形態において、第２のストラップ部分２２２は、プラスチックもしくはゴム管、または布もしくはナイロンロープなどの、曲げやすく、柔軟な材料を含み得る。第１のストリップ２２０の凹型領域２２４は、第２のストラップ２２２の本体を受け入れて保持するために拡張でき、その間に、入口カーテン２６およびパーティションカーテン１１０の対応する部分が保持される。
【０１３０】
図１５Ｂｉ、図１５Ｂｉｉに示される第２の実施形態において、カーテン装着ストラップ２００は、第１のストラップ部分２０２および第２のストラップ部分２０４を備える。第１のストラップ部分２０２は、細長い凹型受け部を含む。いくつかの実施形態において、第１のストラップ部分２０２は、曲げやすく柔軟な材料、または硬質な材料を含み得る。様々な実施形態において、第１のストラップ部分２０２の材料は、プラスチック、ゴム、木材、炭素繊維、複合材、金属、合金、またはスチールを含み得る。第２のストラップ部分２０４は、第１のストラップ部分２０２の凹型領域２１６に受け入れられるサイズの、同様の細長い部材を含む。いくつかの実施形態例において、第２のストラップ部分２０４は、曲げやすく柔軟な材料、または硬質な材料を含み得る。様々な実施形態において、第２のストラップ部分２０４の材料は、プラスチック、ゴム、木材、炭素繊維、複合材、金属、合金、またはスチールを含み得る。
【０１３１】
いくつかの実施形態において、マグネット２１０は、第２のストラップ部分２０４の領域に位置付けられてもよい。様々な実施形態において、マグネット２１０は、必要により別個の磁気ボタンまたは磁気ストラップの形状を取ることができる。いくつかの実施形態において、第２のストラップ部分２０４のマグネット２１０に対応する第１のストラップ部分２０２の箇所は、マグネット２１０に磁気吸引されるスチールセグメント２１４を含むことができる。このように、第１および第２のストラップ部分２０２、２０４は、それらの間に保持された入口カーテン２６およびパーティションカーテン１１０の表面を介して、互いに磁気吸引し得る。
【０１３２】
代替の実施形態において、マグネット２１０は第１のストラップ部分２０２上に提供され、スチールセグメント２１４は第２のストラップ部分２０４上に提供され得る。
【０１３３】
代替の実施形態において、マグネット２１０を含まない第１のストラップ部分２０２または第２のストラップ部分２０４の本体は、スチールのような磁気吸引材料から形成され得る。この方式では、別個の磁気吸引セグメントは必要としない。
【０１３４】
代替の実施形態において、例えば発泡体などの圧縮性で弾力性のある材料で形成されたパッド２１８が、第１または第２のストラップ部分２０２、２０４の、マグネット２１０の位置の間、および／またはスチールセグメント２１４の位置の間の箇所に提供されてよく、第１および第２のストラップ部分２０２、２０４間に保持された、入口カーテン２６およびパーティションカーテン１１０の部分をさらに圧縮する。
【０１３５】
図１５Ｃｉおよび図１５Ｃｉｉは、本発明概念による、カーテン装着ストラップ２００の代替実施形態の断面斜視図である。図１５Ｃの実施形態において、第１のストラップ部分２３２は第１の凹型領域２３７を含み、第２のストラップ部分２３４は第２の凹型領域２３９を含む。マグネット２１０は、第２のストラップ部分２３４の第２の凹型領域２３９に装着される。いくつかの実施形態において、第１のストラップ部分２３２は、磁気吸引する押出し金属材料で形成される。図１５Ｃｉｉで確認できるように、第１のストラップ部分２３２および第２のストラップ部分２３４は互いに吸引され、その間で保持される入口カーテン２６およびパーティションカーテン１１０の部分を、圧縮して保持する。第２のストラップ部分２３４の側部に位置付けられる側部タブ２３２Ａは、第１のストラップ部分２３２と第２のストラップ部分２３４との間の接触表面を広げ、入口カーテン２６とパーティションカーテン１１０とを互いにさらに固定する。
【０１３６】
図１５Ｄｉ〜図１５Ｄｉｖは、本発明概念による、カーテン装着ストラップの実施形態の斜視図である。図１５Ｄｉは分解図である。図１５Ｄｉｉ〜図１５Ｄｉｖは、カーテン装着ストラップの近接斜視図である。
【０１３７】
図１５Ｄｉの実施形態において、第１のストラップ部分２４２は複数のプラスチックスペーサ２５２を含む。スペーサ２５２は、第１のストラップ部分２４２の長手方向に、互いに離隔して位置付けられる。互いに相対的に隣接して位置付けられたスペーサ２５２の対は、それらの間の１つ以上のマグネット２５０の位置決めおよび保持をもたらすように動作する。スペーサ２５２は、マグネット２５０が、第１のストラップ部分２４２の凹型領域において長手方向に摺動するのを防止するよう動作する。いくつかの実施形態において、第１のストラップ部分２４２の本体は、プラスチックまたはナイロン材料で形成される。この場合、マグネット２５０の強磁性材料を確実に、第１のストラップ部分２４２の本体に対して適切で恒久的に直接接合することが困難となり得る。したがって、スペーサ２５２は同様のプラスチックまたはナイロン材料で形成されてもよく、第１のストラップ部分２４２のプラスチックまたはナイロン材料と容易に接合され得る。このような実施形態において、スペーサ２５２およびマグネット２５０は、第１のストラップ部分２４２の長手方向のスロット内に位置付けることができる。長手方向のスロットは、本明細書でさらに詳細に説明する。いくつかの実施形態において、長手方向のスロットは、スペーサ２５２およびマグネット２５０の側壁を捕らえて保持するよう寸法が決められ、一方でそれらの主面の上部分を露出させる。スペーサ２５２およびマグネット２５０を位置付ける際に、スペーサ２５２の主面の下部分は、長手方向のスロットの内面に直接接合され得る。
【０１３８】
第２のストラップ部分２４４は、第１のストラップ部分２４２とかみ合うよう提供される。しかし第２のストラップ部分２４４には、金属挿入物２５４が、第１のストラップ部分２４２のマグネット２５０の吸引接触部として提供される。金属挿入物２５４は磁気吸引し、スチール、ニッケル、コバルト、または任意の好適な磁気吸引材料などの材料で形成され得る。金属挿入物２５４は、第１のストラップ部分２４２の構成と同様の方法で、スペーサ２５２によって側面配置される。いくつかの実施形態において、プラスチックまたはナイロンスペーサ２５２は、第１のストラップ部分２４２に関して本明細書で説明したように、長手方向のスロットの内面に直接接合され得る。このように、プラスチックまたはナイロンスペーサは、金属挿入物２５４の位置決め装置および保持装置として動作し得る。いくつかの実施形態において、金属挿入物は、第２のストラップ部分２４４の本体に沿って長手方向位置に位置付けられ、それによって金属挿入物は、第１のストラップ部分２４２の本体に沿ったマグネット２５０の位置に一致する。
【０１３９】
図１５Ｄｉｉを参照すると、ストラップ２４２、２４４の長手方向のスロットが、第１のストラップ部分２４２の第１のタブ２４６、および第２のストラップ部分２４４の第２のタブ２４８によって画定される。
【０１４０】
第１のストラップ２４２の長手方向のスロットは、その側部分および下部分に、側壁２４７ａおよびベース部２４７ｂを含む。第１のタブ２４６は、長手方向のスロットの上リップ部を形成する。このように、マグネット２５０およびスペーサ２５２（図１５Ｄｉ参照）は、長手方向のスロット内に着座し、第１のタブ２４６はマグネット２５０が外れるのを防止し、一方でマグネット２５０の上面を露出させる窓を提供する。いくつかの実施形態において、例えばマグネット２５０の、金属挿入物２５４または磁気吸引金属の別の片との磁気吸引力の結果であり得る、第１のタブ２４６間に形成された窓を通したマグネット２５０の捩れまたは破損のためなどで、第１のタブ２４６が不意に外れるのを防止するよう、第１のタブ２４６は十分な構造的堅牢さである。
【０１４１】
第２のストラップ２４４の長手方向のスロットは、その側部分および下部分に、側壁２４９ａおよびベース部２４９ｂを含む。第２のタブ２４６は、長手方向のスロットの下リップ部を形成する。このように、金属挿入物２５４およびスペーサ２５２（図１５Ｄｉ参照）は、長手方向のスロット内に着座し、第２のタブ２４８は金属挿入物２５４が外れるのを防止し、一方で金属挿入物２５４の下面を露出させる窓を提供する。いくつかの実施形態において、例えばマグネット２５０の金属挿入物２５４に対する磁気吸引力の結果であり得る、第２のタブ２４８間に形成された窓を通して金属挿入物２５４が不意に外れるのを防止するよう、第２のタブ２４８は十分な構造的堅牢さである。
【０１４２】
図１５Ｄｉｉは、第１のストラップ部分２４２および第２のストラップ部分２４４の連結２００の断面を図示する。
【０１４３】
本実施形態において、第１のストラップ部分２４２は中空であることが確認できる。他の実施形態は、中実の第１のストラップ部分、または中空部分を補強するために垂直の棒が中に組み立てられた第１のストラップ部分２４２を含んでよい。
【０１４４】
図１５Ｄｉｉｉは、例えば２枚のシート材料を挟んだ、第１のストラップ部分２４２および第２のストラップ部分２４４が連結された構成２００の断面図を示す。この例において、入口２６およびパーティションカーテン１１０の材料は、第１のストラップ部分２４２と第２のストラップ部分２４４との間に位置付けられる。第１のストラップ部分２４２と第２のストラップ部分との間の磁力は、２枚の材料２６、１１０の厚さの余分な変位が、マグネット２５０と金属挿入物２５４との間の磁力に対してわずかであるよう、十分に強い。磁気連結２００は、ダスト粒子を比較的通さない、入口２６とパーティションカーテン１１０との表面対表面の連結を作り出すよう、十分に強い。
【０１４５】
図１５Ｄｉｖは、隣接する入口２６を伴う第１のストラップ部分２４２の斜視図である。いくつかの実施形態において、第１のストラップ部分２４２のマグネット２５０は、ドアまたは入口の材料に存在する金属に連結され得る。ドアフレームが、ニッケル、スチール、鉄、またはコバルトなど、磁気吸引性の金属材料から作られてもよい。同様に、マグネット２５０は、金属コーナーフレームまたはブラケットと連結するのに十分な強さであってよい。このような実施形態において、第１のストラップ部分２４２は、間に位置付けられる入口またはカーテン材料を伴って、金属ドアフレームに直接装着され得る。こうした実施形態では第２のストラップ部分２４４は必要なくなることがある。
【０１４６】
図１５Ｅｉ〜図１５Ｅｉｖは、本発明概念による、カーテン装着ストラップ２４４、２４２Ａの実施形態の斜視図である。図１５Ｅｉは分解図である。図１５Ｅｉｉ〜図１５Ｅｉｖは、カーテン装着ストラップの第１のストラップ部分２４２Ａの近接斜視図である。本実施形態例において、第１のストラップ部分２４２Ａは、図１５Ｄｉ〜図１５Ｄｉｖに関して本明細書で説明した実施形態とは異なる構成を有し、一方で第２のストラップ部分２４４は、図１５Ｄｉ〜図１５Ｄｉｖに関して本明細書で説明したものと同じである。効率的に説明するため、実施形態間の違いだけを説明する。
【０１４７】
図１５Ｅｉｉは、第１のストラップ部分２４２Ａおよび第２のストラップ部分２４４が連結された２００関係の、断面図を示す。示されるように、マグネット２５０Ａは、ネック部分２５１Ｂよりも広いベース部分２５１Ａを含む、実質的にＴ形状の断面である。ネック部分２５１Ｂは、タブ２４６Ａによって縁どられた窓の面の上に延びる。タブ２４６Ａは、本明細書で説明するように、より広いベース部分２５１Ａによってマグネット２５０Ａを横断方向に保持する。スペーサ２５２（図１５Ｅｉ参照）は、タブ２４６Ａによって画定された長手方向のスロット内でマグネット２５０Ａが摺動するのを防止することによって、マグネット２５０Ａを長手方向に保持する。この構成は、図１５Ｄｉ〜図１５Ｄｉｖの実施形態におけるタブ２４６と比べて、さらに補強されたタブ２４６Ａを含む。このような追加の補強によって、相対的により強い構成を可能にして、マグネット２５０Ａが長手方向のスロットから不意に外れるのをさらに防止する。
【０１４８】
タブ２４６Ａによって縁どられた窓を越えた、マグネット２５０Ａのネック部分２５１Ｂの広がりによって、マグネット２５０Ａが金属挿入物２５４と直接接触することを可能にして、それらの間の磁気相互作用を強める。この構成によって、マグネット２５０Ａと金属挿入物２５４との間の変位距離が排除されるため、第１および第２のストラップ部分２４２Ａ、２４４間の相対的に強い磁気吸引力をもたらす。タブ２４６Ａ、２４８の構成のため、空隙は存在しない。
【０１４９】
図１５Ｅｉｉｉは、第１のストラップ部分２４２Ａおよび第２のストラップ部分２４４が連結された２００、断面図を示す。マグネット２５０Ａのネック延長部２５１Ｂを伴い、マグネット２５０Ａおよび金属挿入物２５４は、ダストバリア１１０および入口２６のシート材料の厚さのみ離される。これによって、第１のストラップ部分２４２Ａと第２のストラップ部分２４４との間の相対的に強い磁力を可能にし、構造の安定を促進する。いくつかの実施形態において、ネック延長部２５１Ｂは、タブ２４６Ａによって画定された窓を越えて、様々な延長部の長さを有することができる。ネック延長部２５１Ｂの長さ、ならびにその外形に関しては、所望のとおり調整できる。
【０１５０】
図１５Ｅｉｖは、入口２６が隣接した第１のストラップ部分２４２Ａの斜視図である。この実施形態は、図１５Ｄｉｖに関して本明細書で説明したように、住居または商用作業現場における金属ドアフレームなどの金属領域に取り付けられるよう準備されている。ネック延長部２５１Ｂと金属領域との間の変位が、入口２６またはカーテン１１０のシート厚さに制限されるため、ネック延長部２５１Ｂは、マグネット２５０Ａと金属領域との間の連結強度を強める。
【０１５１】
他の実施形態において、第１および第２のストラップ部分は、異なる形態および形状をとることができる。例えば、第１および第２のストラップ部分のうちの１つ以上は、任意で平坦であってよい。この場合、マグネットおよび対応する磁気吸引領域は、ストラップ部分の材料に埋め込むことができる。
【０１５２】
図１６Ａｉ〜図１６Ｄｉは、本発明概念による自閉式入口のカーテン取り付けストラップを設置するための方法の正面図である。図１６Ａｉｉ〜図１６Ｄｉｉは、本発明概念による図１６Ａｉ〜図１６Ｄｉに示された、カーテン取り付けストラップを設置するための方法の側面図である。
【０１５３】
図１６Ａｉおよび図１６Ａｉｉを参照すると、設置作業員の右手が、パーティションカーテン１１０の裏面、かつパーティションカーテン１１０と入口カーテン２６との重複領域で第１のストラップ部分２０２を保持して吊り下げ、それらがカーテン装着ストラップ２００によって互いに固定されることになる。この例示において、第２のストラップ部分２０４が長手方向に可撓性であって、そのため設置作業員の左手のところでわずかに曲がることが確認できる。
【０１５４】
図１６Ｂｉおよび図１６Ｂｉｉを参照すると、設置作業員の左手で、第２のストラップ部分２０４の上部領域を、第１のストラップ部分２０２の上部領域の間近に持ってくる。ここで、磁気相互作用２１２Ａが、その領域の第１のストラップ部分２０２のマグネット２１０Ａと、第２のストラップ部分２０４の対応する金属セグメントまたは領域との間で生じ始める。第１および第２のストラップ部分２０２、２０４が互いにより近接して、磁気吸引２１２Ａが強まり始めると、他のマグネット２１０Ｂ、２１０Ｃ、２１０Ｄと第２のストラップ部分２０４の対応する領域との磁気相互作用２１２Ｂ、２１２Ｃ、２１２Ｄが、順次増加する。
【０１５５】
図１６Ｃｉおよび図１６Ｃｉｉを参照すると、磁気相互作用２１２Ａ〜２１２Ｄは、第２の磁気ストラップ２０４を第１の磁気ストラップ２０２に完全に固定しており、設置作業員は左手を離すことができる。ここで、入口カーテン２６およびパーティションカーテン１１０の対応する領域は、互いに固定され、第１および第２の磁気ストラップ２０２、２０４の間で圧縮される。図１６Ｄｉおよび図１６Ｄｉｉを参照すると、設置は完了し、入口カーテン２６の動作を本明細書で説明したように実行することができる。
【０１５６】
図１７は、本発明概念による、図４Ｆの実施形態に関して本明細書で説明したタイプの、自閉式入口の正面斜視図である。本実施形態において、横材スリーブ３６は、入口カーテン２６の垂直方向の中間位置に位置付けられる。このように、入口カーテン２６の上部領域２６Ａは、横材スリーブ３６および可変長の横材４４の上に延びる。第５のカーテン装着ストラップ２００Ｅが、スリーブ３６の位置の上にある上部領域２６Ａに装着されるのが確認できる。任意追加のカーテン装着ストラップ（図示せず）が、本明細書で説明したように、スリーブの下に提供されてもよい。
【０１５７】
図１８は、本発明概念の別の実施形態による、自閉式入口の正面斜視図である。本実施形態において、ハンズフリーのパーティション入口機構１２０は横材４４（図示せず）を含まず、入口カーテン２６はスリーブ３６を含まない。代わりに、入口カーテン２６はパーティションカーテン１１０に設置され、第１〜第５のカーテン装着ストラップ２００Ａ〜２００Ｅおよびパーティションカーテンによって完全に支持される。
【０１５８】
図１９は、本発明概念の別の実施形態による、自閉式入口の正面斜視図である。本実施形態において、カーテン装着ストラップ２００Ｆ、２００Ｇ、２００Ｈは、所望の適用形態によって様々な長さにできることが確認できる。例えば、垂直に方向付けられたストラップは、入口カーテン２６とパーティションカーテン１１０との間の全垂直距離に及ぶ、第１および第２のストラップ２００Ｆ、２００Ｇを備えることができる。また、水平に配向されたストラップ２００Ｈは、水平距離の一部のみに及ぶ、複数のより小さいストラップを備えることができる。カーテン装着ストラップの構成の任意の数が可能で、本発明概念の原理に等しく適用できる。
【０１５９】
図２０は、本発明概念の実施形態による、ハンズフリーのパーティション入口機構のキットの斜視図である。いくつかの実施形態において、キット７１Ａは、入口カーテン２６、可変長の横材４４、およびそれぞれ異なる内幅Ｗ１、Ｗ２、Ｗ３の横材取り付け機構５２−１、５２−２、５２−３の複数の対を含む。キットは、本明細書で説明した、第１のストラップ部分２０２および対応する第２のストラップ部分２０４を含む、カーテン装着ストラップ２００の複数のセットをさらに含み得る。
【０１６０】
図２１は、本発明概念の実施形態による、ハンズフリーのパーティション入口機構を設置する方法の流れ図である。
【０１６１】
初めに、図１Ａに関して本明細書で説明したように、ダストパーティションシステムの垂直ポール間の距離ｄのサイズが決められる９３−１。
【０１６２】
次に、図１Ｂに関して本明細書で説明したように、入口カーテンが設置される領域Ｒの箇所が特定される９３−２。
【０１６３】
図１Ｃに関して本明細書で説明したように、可変長の横材がカーテンのスリーブに装着され９３−３、可変長の横材および入口カーテンが垂直ポールに装着される９３−４。
【０１６４】
図１４Ａ〜図１４Ｆに関して本明細書で説明したように、入口カーテンの側部分が、カーテン装着ストラップ２００を使用してパーティションカーテン１１０に固定される９３−５。
【０１６５】
図１Ｅ〜図１Ｇに関して本明細書で説明したように、ここでハンズフリーのパーティション入口システムは、動作の準備が整う９３−６。
【０１６６】
図２２Ａ〜図２２Ｃは、本発明概念の実施形態による、磁気吸引材料で形成されたドアフレーム２２００に自閉式入口２６を設置する方法の、正面斜視図である。
【０１６７】
本実施形態ではまた、入口２６が、壁および表面を囲む構造を利用したダストパーティション機構１１０（本明細書の図１Ａなど）の構造およびポール無しに設置できる。本実施形態は、図１５Ｄｉｖおよび図１５Ｅｉｖの実施形態における第１のストラップ部分２４２、２４２Ａに関して詳細に説明されるが、他の好適なストラップの実施形態が本発明概念に等しく適用可能である。
【０１６８】
ドアフレーム２２００の開口部領域Ｒｄｆは、距離ｄｄｆだけ離されて位置付けられた左右の側を含み、ドアフレームは高さｈｄｆを有する。入口カーテン２６の水平方向および垂直方向寸法の広がりは、開口部領域Ｒｄｆよりも大きい。設置すると、入口カーテン２６はパーティションを形成することができ、ドアフレームの一方の側の作業領域からの汚染物質が、ドアフレームの他方の側の清潔な領域に入るのを防ぐ。
【０１６９】
図２２Ａは、金属ドアフレーム２２００への入口の周囲を封止するための、十分な数の第１のストラップ部分２４２が、組み立てられていない状態にある入口２６を示す。この例示に示されるのは５つの第１のストラップ部分２４２であり、２つは各垂直側ｈｄｆに、１つは頂部水平縁部ｄｄｆに適用する。本明細書で説明したように、第１のストラップ部分の相対的長さは、必要に応じて、様々な寸法のドアフレーム２２２０に適用するため、変化し得る。
【０１７０】
図２２Ｂは、金属ドアフレーム２２００に入口２６を組み立てる第１のステップを示す。この例では、第１のストラップ部分２４２をドアフレーム２２００の頂部に配置することによって、入口２６の頂部分がドアフレーム２２００に適用される。入口材料の縁部は、第１のストラップ部分２４２とドアフレーム２２００との間に位置付けられる。第１のストラップ部分２４２のマグネットの磁気吸引は、第１のストラップ部分２４２および入口２６の材料をドアフレーム２２００に連結する。磁気吸引は、入口を通過する使用者による入退出の繰り返しが第１のストラップ部分２４２の位置に悪影響を与えないよう、かつ入口２６をドアフレーム２２００に対して動かさないよう、理想的に十分に強い。
【０１７１】
第１のストラップ部分２４２のうちの１つを、左右の側ｈｄｆのドアフレームの垂直部分に沿って配置することによって、組み立てを続ける。
【０１７２】
図２２Ｃは、ドアフレーム２２００に設置された、完全に組み立てられた自閉式入口２６の斜視図である。５つの第１のストラップ部分２４２が示される。この実施形態は、入口の底部を床に接触かつ重複させて、部屋を完全に封止している位置にある入口を示す。
【０１７３】
この実施形態において、入口２６シートの材料の面積は、ドアフレームＲｄｆの面積よりも大きい。こうして、入口２６は物理的バリアを作り出し、ドアフレーム２２００を完全に仕切る。
【０１７４】
図２３は、本発明概念の実施形態による、自閉式入口２６の正面斜視図である。この実施形態において、第１のストラップ部分２４２が、例えば部屋の戸口の壁に直接適用される。現代の住居／商用建物の内側乾式壁の角部は、亜鉛メッキスチールで形成されることが多い。このような例で、第１のストラップ部分２４２は、壁２３００の角部に直接連結するよう構成することができる。
【０１７５】
同じ通路の異なる位置において整合された、２つのこれらの入口によって、追加の部屋を作り出すことができる。これは、特に不透明なカーテンを用いて、ポップアップ式の衣装替えまたは身支度所に利用することができ、ダンスリサイタルまたは劇場などに使用され得る。
【０１７６】
図２４Ａ〜図２４Ｃは、自閉式入口を、吊天井の金属チャネルなどの吊天井構造に直接設置する方法の、斜視図である。
【０１７７】
図２４Ａは、吊天井に取り付けるための磁気ストリップを伴うキーおよびスロット取り付け具を有する天井取り付け具２４００の分解図である。示されるように、磁気ストリップ２４５０は離隔した３つの個々のマグネットを有する。他の実施形態において、単一の細長いマグネットを利用してもよく、または異なる数のマグネットを利用して、天井取り付け具と天井との連結を安定させてもよい。
【０１７８】
キーおよびスロット取り付け具は、本願に引用して援用する、米国特許第７，６５８，２１９号に記載されている。本実施形態は、キー穴２４０５を有する平坦パネル２４００と、キー穴２４０５を通して柔軟に嵌合するノブ２４５５を有する磁気ストリップ２４５０との、スナップ嵌め関係を示す。この連結によって、これら２つの要素間に、入口または別のシート材料を位置付けることが可能となる。
【０１７９】
図２４Ｂは、磁気ストリップに沿ってマグネットが位置付けられた、キースロットの連結された図である。一旦連結すると２４２５、入口２６シートは、開口部パネル２４００とキー突出部（図示せず）を有する磁気ストリップ２４５０との間に位置付けられる。示されているのは、離隔された３つの個々のマグネット２４６０である。他の実施形態において、天井取り付け具と天井との連結を安定させるため、単一の細長いマグネットが存在してもよく、または異なる複数のマグネットが存在してもよい。ピンとプレートとの組み合わせを有し、この２つの要素間に位置付けられた入口カーテンを伴う、米国特許第７，６５８，２１９号と同様の方法で、プレート取り付け具２４００および磁気ストリップ２４５０が連結されているところ２４２５が示される。
【０１８０】
図２４Ｃは、組み立てられた天井取り付け具の斜視図である。吊天井は通常、天井タイルを位置付けるための金属チャネル２４６０を有する。本実施形態において、磁気ストリップ２４５０が吊天井の金属チャネル２４６０に直接連結されているのが確認できる。
【０１８１】
この組み立てによって、設置作業員は、横材または垂直ポールを使用せずに入口を確立することができる。入口２６は、吊天井の金属チャネル２４６０から直接吊り下げられ得る。
【０１８２】
図２５Ａ〜図２５Ｂは、カーテンを設置および撤去するため、ならびにカーテンを天井に連結するための道具の斜視図である。
【０１８３】
図２５Ａは、カーテンを設置および撤去するため、ならびにカーテンを吊天井に直接連結するための道具２５００の上面斜視図である。道具のヘッド部２５０２は、本明細書で説明した部分２４２、２４２Ａのような第１のストラップ部分を把持するよう構成された、４つの取り付け突出部２５０６を含む。ヘッド部２５０２は、ポール２５０４の頂部に取り付けられる。４つの突出部は、第１のストラップ部分２４２、２４２Ａの本体に対して曲がる。第１のストラップ部分のマグネットが吊天井チャネルと係合する際に、ヘッド部はポールによって梃子として使用されてよく、取り付け突出部が第１のストラップ部分２４２、２４２Ａの本体を係合解除するよう曲がる。これによってポール２５０４およびヘッド２５０２をシステムから解放でき、次に入口２６のシート材料を、支持のための垂直ポールシステムを必要とせずに、吊天井から直接吊り下げることができる。取り外し特徴部２５０８がさらに含まれ、第１のストラップ部分２４２、２４２Ａを天井チャネルから外す機能を提供する。ヘッド２５０２およびポールは、取り外し特徴部２５０８が、第１のストラップ部分の中空の端部に位置し得るよう位置付けられる。挿入に際し、ヘッド部はポールによってある角度を付けられ、第１のストラップ部分２４２、２４２Ａを天井チャネルから取り外し、磁気吸引を分断することが可能である。このように、道具２５００は、システムの組み立ておよび分解に使用され得る。図２５Ｂの斜視図に示されるように、取り外し特徴部２５０８は、ポール２５０４の異なる位置および角度で梃子とできるよう、異なる角度で形成することができる。端部分２５０８は、磁力に打ち勝つために最適に利用できるかによって、道具ヘッド部２５０２に対して長手方向に垂直であってもよいし、または道具の主本体に対してある角度が付いていてもよい。端部分２５０８は三角形として示されるが、連結解除される磁気ストリップの形状およびサイズによって、様々な形状に構成され得る。いくつかの実施形態において、取り外しに際して、道具の取り付け突出部２５０６は、ストラップの取り外しのために、第１のストラップ部分２４２、２４２Ａの本体に対して弾き戻されてよい。
【０１８４】
本発明概念を、特にその実施形態例を参照して上記で示し説明したが、以下の特許請求の範囲によって説明および定義された本発明概念の趣旨および範囲から逸脱することなく、形態および詳細の様々な変更が成され得ることを、当業者は理解されたい。
【図１Ａ】
2019504224.tif 000003
【図１Ｂ】
2019504224.tif 000004
【図１Ｃ】
2019504224.tif 000005
【図１Ｄ】
2019504224.tif 000006
【図１Ｅ】
2019504224.tif 000007
【図１Ｆ】
2019504224.tif 000008
【図１Ｇ】
2019504224.tif 000009
【図２Ａ】
2019504224.tif 000010
【図２Ｂｉ】
2019504224.tif 000011
【図２Ｂｉｉ】
2019504224.tif 000012
【図３Ａ】
2019504224.tif 000013
【図３Ｂ】
2019504224.tif 000014
【図３Ｃ】
2019504224.tif 000015
【図３Ｄ】
2019504224.tif 000016
【図４Ａ】
2019504224.tif 000017
【図４Ｂ】
2019504224.tif 000018
【図４Ｃ】
2019504224.tif 000019
【図４Ｄ】
2019504224.tif 000020
【図４Ｅ】
2019504224.tif 000021
【図４Ｆ】
2019504224.tif 000022
【図４Ｇ】
2019504224.tif 000023
【図５Ａ】
2019504224.tif 000024
【図５Ｂ】
2019504224.tif 000025
【図５Ｃ】
2019504224.tif 000026
【図６】
2019504224.tif 000027
【図７】
2019504224.tif 000028
【図８Ａ】
2019504224.tif 000029
【図８Ｂ】
2019504224.tif 000030
【図８Ｃ】
2019504224.tif 000031
【図８Ｄ】
2019504224.tif 000032
【図９】
2019504224.tif 000033
【図１０Ａ】
2019504224.tif 000034
【図１０Ｂ】
2019504224.tif 000035
【図１１】
2019504224.tif 000036
【図１２】
2019504224.tif 000037
【図１３】
2019504224.tif 000038
【図１４Ａ】
2019504224.tif 000039
【図１４Ｂ】
2019504224.tif 000040
【図１４Ｃ】
2019504224.tif 000041
【図１４Ｄ】
2019504224.tif 000042
【図１４Ｅ】
2019504224.tif 000043
【図１４Ｆ】
2019504224.tif 000044
【図１５Ａｉ】
2019504224.tif 000045
【図１５Ａｉｉ】
2019504224.tif 000046
【図１５Ｂｉ】
2019504224.tif 000047
【図１５Ｂｉｉ】
2019504224.tif 000048
【図１５Ｃｉ】
2019504224.tif 000049
【図１５Ｃｉｉ】
2019504224.tif 000050
【図１５Ｄｉ】
2019504224.tif 000051
【図１５Ｄｉｉ】
2019504224.tif 000052
【図１５Ｄｉｉｉ】
2019504224.tif 000053
【図１５Ｄｉｖ】
2019504224.tif 000054
【図１５Ｅｉ】
2019504224.tif 000055
【図１５Ｅｉｉ】
2019504224.tif 000056
【図１５Ｅｉｉｉ】
2019504224.tif 000057
【図１５Ｅｉｖ】
2019504224.tif 000058
【図１６Ａｉ】
2019504224.tif 000059
【図１６Ａｉｉ】
2019504224.tif 000060
【図１６Ｂｉ】
2019504224.tif 000061
【図１６Ｂｉｉ】
2019504224.tif 000062
【図１６Ｃｉ】
2019504224.tif 000063
【図１６Ｃｉｉ】
2019504224.tif 000064
【図１６Ｄｉ】
2019504224.tif 000065
【図１６Ｄｉｉ】
2019504224.tif 000066
【図１７】
2019504224.tif 000067
【図１８】
2019504224.tif 000068
【図１９】
2019504224.tif 000069
【図２０】
2019504224.tif 000070
【図２１】
2019504224.tif 000071
【図２２Ａ】
2019504224.tif 000072
【図２２Ｂ】
2019504224.tif 000073
【図２２Ｃ】
2019504224.tif 000074
【図２３】
2019504224.tif 000075
【図２４Ａ】
2019504224.tif 000076
【図２４Ｂ】
2019504224.tif 000077
【図２４Ｃ】
2019504224.tif 000078
【図２５Ａ】
2019504224.tif 000079
【図２５Ｂ】
2019504224.tif 000080
【国際調査報告】
2019504224.tif 000081
2019504224.tif 000082
2019504224.tif 000083